(57)【要約】【課題】  骨盤矯正補助具において、装着して歩くだけで特に意識しなくても自然に“ビーナスウォーク”をすることができ、骨盤の歪みを矯正できること。【解決手段】  骨盤矯正補助具１は、腰ベルト部分２の前中心２ａから左右に斜め下方に伸びる引張り部分３Ａ，３Ｂと、その先端に設けられた右足ＲＬ，左足ＬＬをそれぞれ通して足の付け根近傍に装着する環状部分４Ａ，４Ｂとを具備し、これら環状部分の先端５Ａ，５Ｂが環状部分の根元に縫付け固定されている。腰ベルト部分２，引張り部分３Ａ，３Ｂ，環状部分４Ａ，４Ｂの全てがオペロンゴムからなり、引張り部分３Ａ，３Ｂで両足ＲＬ，ＬＬの付け根近傍が内側へ引張られるため、良い姿勢で真っ直ぐに歩くだけで自然に骨盤が内側へ回転して“ビーナスウォーク”ができ、これを何日も続けることによって骨盤の歪みが矯正されて、骨盤の歪みに起因する種々の不快な症状も改善される。【選択図】        図１
2006149517.tif 000002
【特許請求の範囲】
【請求項１】
衣服の下の腰回りに装着する腰ベルト部分と、
前記腰ベルト部分の前中心からそれぞれ左右に斜め下方に向かって伸びる１または２以上の弾性材からなる１対の引張り部分と、
前記１対の引張り部分の先端にそれぞれ設けられた左右の足をそれぞれ通して衣服の下の足の付け根近傍に装着する環状に形成された１対の環状部分と
を具備することを特徴とする骨盤矯正補助具。
【請求項２】
前記１対の環状部分は前記環状部分の先端が前記環状部分の根元にそれぞれ固定されていることを特徴とする請求項１に記載の骨盤矯正補助具。
【請求項３】
前記１対の環状部分は前記環状部分の先端に前記環状部分を構成する素材をくぐらせるループがそれぞれ設けられていることを特徴とする請求項１に記載の骨盤矯正補助具。
【請求項４】
前記１対の環状部分は前記環状部分の先端が前記腰ベルト部分にそれぞれ固定されており、その近傍に前記環状部分を構成する素材をくぐらせるループがそれぞれ設けられていることを特徴とする請求項１に記載の骨盤矯正補助具。
【請求項５】
前記腰ベルト部分が前中心またはその他の位置において分離可能であり、１対の調節機能付き接続具によって接続され、前記１対の調節機能付き接続具による接続位置を変えることによって前記腰ベルト部分の長さを調節できることを特徴とする請求項１乃至請求項４のいずれか１つに記載の骨盤矯正補助具。
【請求項６】
衣服の下の腰回りに装着する腰ベルト部分と、
前記腰ベルト部分に巻き付けられて前記腰ベルト部分の周方向にスライド可能な１対の腰スライド部材と、
前記１対の腰スライド部材にそれぞれ上端を固定されて互いに交差する方向に斜め下方に伸びた１または２以上の弾性材からなる１対の引張り部分と、
前記１対の引張り部分の先端にそれぞれ設けられた左右の足をそれぞれ通して衣服の下の足の付け根近傍に装着する環状に形成された１対の環状部分と
を具備することを特徴とする骨盤矯正補助具。
【請求項７】
前記１対の環状部分の根元近傍には前記環状部分を形成する素材に巻き付けられて前記素材の長さ方向にスライド可能な足スライド部材がそれぞれ設けられ、前記環状部分の先端は前記足スライド部材にそれぞれ固定されていることを特徴とする請求項１または請求項６に記載の骨盤矯正補助具。
【請求項８】
前記腰スライド部材及び／または前記足スライド部材の裏側（前記腰ベルト部分または前記環状部分を形成する素材と接触する側）には滑り止めが設けられていることを特徴とする請求項６または請求項７に記載の骨盤矯正補助具。
【請求項９】
前記腰スライド部材及び／または前記足スライド部材はバックルを備えており、前記１対の引張り部分の上端及び／または前記環状部分の先端は前記バックルに取付けられていることを特徴とする請求項６乃至請求項８のいずれか１つに記載の骨盤矯正補助具。
【請求項１０】
前記１対の引張り部分の一方に他方の引張り部分をくぐらせるループが設けられていることを特徴とする請求項６乃至請求項９のいずれか１つに記載の骨盤矯正補助具。
【請求項１１】
衣服の下の腰背面に装着する腰背面部分と、
前記腰背面部分に続いて互いに交差するようにそれぞれ左右に斜め下方に向かって伸びる弾性材からなる１対の引張り部分と、
前記１対の引張り部分の先端にそれぞれ設けられた左右の足をそれぞれ通して衣服の下の足の付け根近傍に装着する環状に形成された１対の環状部分とを具備し、
前記１対の環状部分は前記環状部分の先端に前記環状部分を構成する素材をくぐらせるループが設けられていることを特徴とする骨盤矯正補助具。
【請求項１２】
前記１対の環状部分は前記環状部分の先端が前記１対の引張り部分にそれぞれ固定されており、その近傍に前記環状部分を構成する素材をくぐらせるループが設けられていることを特徴とする請求項１１に記載の骨盤矯正補助具。
【請求項１３】
衣服の下の腰背面に装着する腰背面部分と、
前記腰背面部分に続いて互いに腰回り前部で交差するようにそれぞれ左右に斜め下方に向かって伸びる１または２以上の弾性材からなる１対の引張り部分と、
前記１対の引張り部分の先端にそれぞれ固定された、または調節機能付き接続具でそれぞれ接続された、左右の足をそれぞれ通して衣服の下の足の付け根近傍に装着する１対のレッグループと
を具備することを特徴とする骨盤矯正補助具。
【請求項１４】
前記腰背面部分に長さ或いは引張り力を調節する調節機構を設けたことを特徴とする請求項１３に記載の骨盤矯正補助具。
【請求項１５】
衣服の下の腰回りに装着する腰ベルト部分と、
前記腰ベルト部分の対向した部分に固定されて互いに交差するようにそれぞれ左右に斜め下方に向かって伸びる１または２以上の弾性材からなる１対の引張り部分と、
前記１対の引張り部分の先端にそれぞれ固定された左右の足をそれぞれ通して衣服の下の足の付け根近傍に装着する１対のレッグループまたは１対の環状部分と
を具備することを特徴とする骨盤矯正補助具。
【請求項１６】
衣服の下の腰回りに装着する腰ベルト部分と、
前記腰ベルト部分に巻き付けられて前記腰ベルト部分の周方向にスライド可能な１対の腰スライド部材と、
前記１対の腰スライド部材にそれぞれ上端を固定されて互いに交差する方向に斜め下方に伸びた１または２以上の弾性材からなる１対の引張り部分と、
前記１対の引張り部分の先端にそれぞれ固定された左右の足をそれぞれ通して衣服の下の足の付け根近傍に装着する１対のレッグループまたは１対の環状部分と
を具備することを特徴とする骨盤矯正補助具。
【請求項１７】
衣服の下の腰回りに装着する腰ベルト部分と、
前記腰ベルト部分の対向した部分に固定されて前記腰回りの前後でそれぞれ互いに交差するようにそれぞれ左右に斜め下方に向かって伸びる１または２以上の弾性材からなる２対の引張り部分と、
前記２対の引張り部分の先端にそれぞれ固定された左右の足をそれぞれ通して衣服の下の足の付け根近傍に装着する１対のレッグループまたは１対の環状部分と
を具備することを特徴とする骨盤矯正補助具。
【請求項１８】
衣服の下の腰回りに装着する腰ベルト部分と、
前記腰ベルト部分に巻き付けられて前記腰ベルト部分の周方向にスライド可能な２対の腰スライド部材と、
前記２対の腰スライド部材にそれぞれ上端を固定されて前記腰回りの前後でそれぞれ互いに交差する方向に斜め下方に伸びた１または２以上の弾性材からなる２対の引張り部分と、
前記２対の引張り部分の先端にそれぞれ固定された左右の足をそれぞれ通して衣服の下の足の付け根近傍に装着する１対のレッグループまたは１対の環状部分と
を具備することを特徴とする骨盤矯正補助具。
【請求項１９】
前記腰スライド部材の裏側（前記腰ベルト部分を形成する素材と接触する側）には滑り止めが設けられていることを特徴とする請求項１６または請求項１８に記載の骨盤矯正補助具。
【請求項２０】
左右の足をそれぞれ通して衣服の下の足の付け根近傍に装着する１対のレッグループと、
前記１対のレッグループのうち左足用のレッグループの後部に一端が固定され、斜め上方に伸びて右腰を回って腰部の前面を斜めに下りて前記左足用のレッグループに調節機能付き接続具で接続される一方の引張り部材と、
前記１対のレッグループのうち右足用のレッグループの後部に一端が固定され、斜め上方に伸びて左腰を回って腰部の前面を斜めに下りて前記右足用のレッグループに調節機能付き接続具で接続される他方の引張り部材と
を具備することを特徴とする骨盤矯正補助具。
【請求項２１】
左右の足をそれぞれ通して衣服の下の足の付け根近傍に装着する１対のレッグループと、
前記１対のレッグループの外側面にそれぞれ固定されて上方へ伸びる１対の補助部材と、
前記１対のレッグループのうち左足用のレッグループの後部に一端が固定され、斜め上方に伸びて右腰を回って腰部の前面を斜めに下りて前記１対の補助部材のうち左足用の補助部材に調節機能付き接続具で接続される一方の引張り部材と、
前記１対のレッグループのうち右足用のレッグループの後部に一端が固定され、斜め上方に伸びて左腰を回って腰部の前面を斜めに下りて前記１対の補助部材のうち右足用の補助部材に調節機能付き接続具で接続される他方の引張り部材とを具備し、
前記左足用の補助部材の上端は前記他方の引張り部材に前記左腰部で固定され、前記右足用の補助部材の上端は前記一方の引張り部材に前記右腰部で固定されていることを特徴とする骨盤矯正補助具。
【請求項２２】
前記一方の引張り部材と前記他方の引張り部材とが前記調節機能付き接続具で接続される代わりに、前記レッグループまたは前記補助部材に固定されていることを特徴とする請求項２０または請求項２１に記載の骨盤矯正補助具。
【請求項２３】
前記１対または２対の引張り部分或いは前記１対の引張り部材の一方に他方の引張り部分或いは引張り部材をくぐらせるループが設けられていることを特徴とする請求項１３乃至請求項２２のいずれか１つに記載の骨盤矯正補助具。
【請求項２４】
左右２つずつのレッグループがそれぞれ上下方向に所定間隔離して接続部材で接続され、
衣服の下の腰背面に装着する腰背面部分と、
前記腰背面部分に続いて互いに腰回り前部で交差するようにそれぞれ左右に斜め下方に向かって伸びる１または２以上の弾性材からなる１対の引張り部分とを具備し、
前記１対の引張り部分は交差部分の下方で左右の上方のレッグループにそれぞれ固定され、
さらに前記１対の引張り部分の先端は前記接続部材または前記左右の下方のレッグループにそれぞれ固定されていることを特徴とする骨盤矯正補助具。
【請求項２５】
前中心で分離された腰ベルト部分と、
前記腰ベルト部分と１対の接続部材によってそれぞれ接続固定された左右１対のレッグループと、
前記腰ベルト部分の左先端と前記左右１対のレッグループのうち右側のレッグループとを接続する１または２以上の弾性材からなる一方の引張り部分と、
前記腰ベルト部分の右先端と前記左右１対のレッグループのうち左側のレッグループとを接続する１または２以上の弾性材からなる他方の引張り部分と
を具備することを特徴とする骨盤矯正補助具。
【請求項２６】
前記腰ベルト部分の背面部下方と前記１対の接続部材の背面間と前記１対のレッグループ上方との間に生ずる空間に生地を張り巡らせたことを特徴とする請求項２４に記載の骨盤矯正補助具。
【請求項２７】
前記生地はパワーネットであることを特徴とする請求項２５に記載の骨盤矯正補助具。
【請求項２８】
衣服の下の腰回りに装着する腰ベルト部分と、
前記腰ベルト部分の前中心近傍にそれぞれ上端を固定されて前記腰回りの前方で互いに交差しない方向に斜め外側下方に伸びた１または２以上の弾性材からなる１対の引張り部分と、
前記１対の引張り部分の先端にそれぞれ固定された左右の足をそれぞれ通して衣服の下の足の付け根近傍に装着する１対のレッグループと
を具備することを特徴とする骨盤矯正補助具。
【請求項２９】
前記腰ベルト部分が前中心で分離されており、調節機構付き接続具によって接続されていることを特徴とする請求項２８に記載の骨盤矯正補助具。
【請求項３０】
衣服の下の腰回りに装着する腰ベルト部分と、
左右の足をそれぞれ通して衣服の下の足の付け根近傍に装着する１対のレッグループに両端を固定された弾性材からなる１本の引張り部材とを具備し、
前記腰ベルト部分の前中心と前記引張り部材の中央とに互いに接続可能な１組の調節機能付き接続具を固定したことを特徴とする骨盤矯正補助具。
【請求項３１】
前記１対または２対の引張り部分または引張り部材に加えて、前記腰ベルト部分、前記腰背面部分、前記１対の環状部分、前記１対または２対のレッグループも含む、前記１対の調節機能付き接続具以外の全ての部分が弾性材から構成されていることを特徴とする請求項１乃至請求項３０のいずれか１つに記載の骨盤矯正補助具。
【請求項３２】
前記腰ベルト部分または前記腰背面部分が弾性材から構成されており、前記腰ベルト部分または前記腰背面部分の背面部分の内側にさらに弾性材を取付けたことを特徴とする請求項１乃至請求項３１のいずれか１つに記載の骨盤矯正補助具。
【請求項３３】
前記弾性材はオペロンゴムであることを特徴とする請求項１乃至請求項３２のいずれか１つに記載の骨盤矯正補助具。
【発明の詳細な説明】
【技術分野】
【０００１】
本発明は、ズボン、スカート等の衣服の下に装着して生活するだけで骨盤の歪みを矯正して正常な骨盤形状を回復させるとともに、骨盤の歪みに起因する種々の症状を改善して健康な肉体と美しいプロポーションを得ることができる骨盤矯正補助具に関するものであり、ウエスト周りに取り付けることにより衣服全般に適用できるものである。
【背景技術】
【０００２】
現代人は歩くときも、椅子に座るときも、また畳の上に正座するときも姿勢が悪い人が多いため、骨盤が歪んでいる人が多く、そのためプロポーションが悪くなるだけでなく、健康にも支障をきたしている場合がある。骨盤の具体的な構造について、図５を参照して説明する。図５は、骨盤とその周辺の骨を正面から見て示す概略図である。
【０００３】
図５に示されるように、骨盤２１は、「仙骨」２２・「寛骨」２３・「尾骨」２４という三つの骨によって構成されており、腰椎２８から続く逆三角形の骨が「仙骨」２２、その両側の蝶の羽のような形状の腸骨２５とそこから続く坐骨２６と恥骨２７をまとめて「寛骨」２３、さらに仙骨２２の先端にあるのが「尾骨」２４である。骨盤２１は仙骨２２部分で背骨２９に直結し、寛骨２３の下部で両足の骨３０（大転子３０ａ）へとつながっている。
【０００４】
通常、骨と骨は関節によってつながっているが、骨盤２１を形成する三つの骨２２，２３，２４は周囲の筋肉と靭帯によって支えられていて、唯一の関節は仙骨２２と腸骨２５とをつなぐ仙腸関節のみであり、この関節がずれたり開いたりしてそのまま固まってしまう結果、骨盤２１が歪む。骨盤２１が歪めば、当然それを包む筋肉にも影響が出て、お尻の中で骨盤２１が横に広がったり歪んだりする結果、お尻が横に広がったり垂れてしまったりする（非特許文献１：２２頁〜２３頁）。
【０００５】
そこで、非特許文献１の４４頁〜４５頁においては、骨盤２１の歪みを直す基本の体操として、ゴムのチューブを大転子３０ａの位置に当ててお尻で交差させ、骨盤２１の一番出っ張った部分へ巻いて体の前で結んで、腰を大きく左右に回す体操を推奨している。また、非特許文献２の８０頁〜８３頁においては、骨盤２１の歪みを直す方法として骨盤２１を動かして歩く“ビーナスウォーク”という、より効果的な歩き方を提唱している。この歩き方をマスターして続けることによって、骨盤２１の歪みを矯正することができ、骨盤２１の歪みに起因する内蔵の不調や血行不良も解消されて、種々の不快な症状も改善されるとしている。
【非特許文献１】「新骨盤ダイエット」著者・芝崎義夫、出版社・高橋書店、出版年月日・平成１５年７月１０日
【非特許文献２】「骨盤スリミング」著者・立花みどり、出版社・日本文芸社、出版年月日・平成１４年１０月２５日
【発明の開示】
【発明が解決しようとする課題】
【０００６】
しかしながら、非特許文献１において推奨されている腰を回す体操等の体操だけでは、なかなか骨盤の歪みを矯正することができない。また、非特許文献２において提唱されている“ビーナスウォーク”は効果的に骨盤の歪みを矯正することができるが、骨盤を内側に回しながら歩かなければならず、この際に肩や首など上半身は動かさない等、意識しなければならないポイントが多過ぎて、この歩き方をマスターするのは非常に困難であるという問題点があった。
【０００７】
そこで、本発明は、ズボンやスカート等の下に装着して歩くだけで特に意識しなくても自然に“ビーナスウォーク”をすることができ、骨盤の歪みを矯正することができる骨盤矯正補助具の提供を課題とするものである。
【課題を解決するための手段】
【０００８】
請求項１の発明にかかる骨盤矯正補助具は、衣服の下の腰回りに装着する腰ベルト部分と、前記腰ベルト部分の前中心からそれぞれ左右に斜め下方に向かって伸びる１または２以上の弾性材からなる１対の引張り部分と、前記１対の引張り部分の先端にそれぞれ設けられた左右の足をそれぞれ通して衣服の下の足の付け根近傍に装着する環状に形成された１対の環状部分とを具備するものである。
【０００９】
請求項２の発明にかかる骨盤矯正補助具は、請求項１の構成において、前記１対の環状部分は前記環状部分の先端が前記環状部分の根元にそれぞれ固定されているものである。
【００１０】
請求項３の発明にかかる骨盤矯正補助具は、請求項１の構成において、前記１対の環状部分は前記環状部分の先端に前記環状部分を構成する素材をくぐらせるループがそれぞれ設けられているものである。
【００１１】
請求項４の発明にかかる骨盤矯正補助具は、請求項１の構成において、前記１対の環状部分は前記環状部分の先端が前記腰ベルト部分にそれぞれ固定されており、その近傍に前記環状部分を構成する素材をくぐらせるループがそれぞれ設けられているものである。
【００１２】
請求項５の発明にかかる骨盤矯正補助具は、請求項１乃至請求項４のいずれか１つの構成において、前記腰ベルト部分が前中心またはその他の位置において分離可能であり、１対の調節機能付き接続具によって接続され、前記１対の調節機能付き接続具による接続位置を変えることによって前記腰ベルト部分の長さを調節できるものである。
【００１３】
請求項６の発明にかかる骨盤矯正補助具は、衣服の下の腰回りに装着する腰ベルト部分と、前記腰ベルト部分に巻き付けられて前記腰ベルト部分の周方向にスライド可能な１対の腰スライド部材と、前記１対の腰スライド部材にそれぞれ上端を固定されて互いに交差する方向に斜め下方に伸びた１または２以上の弾性材からなる１対の引張り部分と、前記１対の引張り部分の先端にそれぞれ設けられた左右の足をそれぞれ通して衣服の下の足の付け根近傍に装着する環状に形成された１対の環状部分とを具備するものである。
【００１４】
請求項７の発明にかかる骨盤矯正補助具は、請求項１または請求項６の構成において、前記１対の環状部分の根元近傍には前記環状部分を形成する素材に巻き付けられて前記素材の長さ方向にスライド可能な足スライド部材がそれぞれ設けられ、前記環状部分の先端は前記足スライド部材にそれぞれ固定されているものである。
【００１５】
請求項８の発明にかかる骨盤矯正補助具は、請求項６または請求項７の構成において、前記腰スライド部材及び／または前記足スライド部材の裏側（前記腰ベルト部分または前記環状部分を形成する素材と接触する側）には滑り止めが設けられているものである。
【００１６】
請求項９の発明にかかる骨盤矯正補助具は、請求項６乃至請求項８のいずれか１つの構成において、前記腰スライド部材及び／または前記足スライド部材はバックルを備えており、前記１対の引張り部分の上端及び／または前記環状部分の先端は前記バックルに取付けられているものである。
【００１７】
請求項１０の発明にかかる骨盤矯正補助具は、請求項６乃至請求項９のいずれか１つの構成において、前記１対の引張り部分の一方に他方の引張り部分をくぐらせるループが設けられているものである。
【００１８】
請求項１１の発明にかかる骨盤矯正補助具は、衣服の下の腰背面に装着する腰背面部分と、前記腰背面部分に続いて互いに交差するようにそれぞれ左右に斜め下方に向かって伸びる１または２以上の弾性材からなる１対の引張り部分と、前記１対の引張り部分の先端にそれぞれ設けられた左右の足をそれぞれ通して衣服の下の足の付け根近傍に装着する環状に形成された１対の環状部分とを具備し、前記１対の環状部分は前記環状部分の先端に前記環状部分を構成する素材をくぐらせるループが設けられているものである。
【００１９】
請求項１２の発明にかかる骨盤矯正補助具は、請求項１１の構成において、前記１対の環状部分は前記環状部分の先端が前記１対の引張り部分にそれぞれ固定されており、その近傍に前記環状部分を構成する素材をくぐらせるループが設けられているものである。
【００２０】
請求項１３の発明にかかる骨盤矯正補助具は、衣服の下の腰背面に装着する腰背面部分と、前記腰背面部分に続いて互いに腰回り前部で交差するようにそれぞれ左右に斜め下方に向かって伸びる１または２以上の弾性材からなる１対の引張り部分と、前記１対の引張り部分の先端にそれぞれ固定された左右の足をそれぞれ通して衣服の下の足の付け根近傍に装着する１対のレッグループとを具備するものである。
【００２１】
請求項１４の発明にかかる骨盤矯正補助具は、請求項１３の構成において、前記腰背面部分に長さ或いは引張り力を調節する調節機構を設けたものである。
【００２２】
請求項１５の発明にかかる骨盤矯正補助具は、衣服の下の腰回りに装着する腰ベルト部分と、前記腰ベルト部分の対向した部分に固定されて互いに交差するようにそれぞれ左右に斜め下方に向かって伸びる１または２以上の弾性材からなる１対の引張り部分と、前記１対の引張り部分の先端にそれぞれ固定された左右の足をそれぞれ通して衣服の下の足の付け根近傍に装着する１対のレッグループまたは１対の環状部分とを具備するものである。
【００２３】
請求項１６の発明にかかる骨盤矯正補助具は、衣服の下の腰回りに装着する腰ベルト部分と、前記腰ベルト部分に巻き付けられて前記腰ベルト部分の周方向にスライド可能な１対の腰スライド部材と、前記１対の腰スライド部材にそれぞれ上端を固定されて互いに交差する方向に斜め下方に伸びた１または２以上の弾性材からなる１対の引張り部分と、前記１対の引張り部分の先端にそれぞれ固定された左右の足をそれぞれ通して衣服の下の足の付け根近傍に装着する１対のレッグループまたは１対の環状部分とを具備するものである。
【００２４】
請求項１７の発明にかかる骨盤矯正補助具は、衣服の下の腰回りに装着する腰ベルト部分と、前記腰ベルト部分の対向した部分に固定されて前記腰回りの前後でそれぞれ互いに交差するようにそれぞれ左右に斜め下方に向かって伸びる１または２以上の弾性材からなる２対の引張り部分と、前記２対の引張り部分の先端にそれぞれ固定された左右の足をそれぞれ通して衣服の下の足の付け根近傍に装着する１対のレッグループまたは１対の環状部分とを具備するものである。
【００２５】
請求項１８の発明にかかる骨盤矯正補助具は、衣服の下の腰回りに装着する腰ベルト部分と、前記腰ベルト部分に巻き付けられて前記腰ベルト部分の周方向にスライド可能な２対の腰スライド部材と、前記２対の腰スライド部材にそれぞれ上端を固定されて前記腰回りの前後でそれぞれ互いに交差する方向に斜め下方に伸びた１または２以上の弾性材からなる２対の引張り部分と、前記２対の引張り部分の先端にそれぞれ固定された左右の足をそれぞれ通して衣服の下の足の付け根近傍に装着する１対のレッグループまたは１対の環状部分とを具備するものである。
【００２６】
請求項１９の発明にかかる骨盤矯正補助具は、請求項１６または請求項１８の構成において、前記腰スライド部材の裏側（前記腰ベルト部分を形成する素材と接触する側）には滑り止めが設けられているものである。
【００２７】
請求項２０の発明にかかる骨盤矯正補助具は、左右の足をそれぞれ通して衣服の下の足の付け根近傍に装着する１対のレッグループと、前記１対のレッグループのうち左足用のレッグループの後部に一端が固定され、斜め上方に伸びて右腰を回って腰部の前面を斜めに下りて前記左足用のレッグループに調節機能付き接続具で接続される一方の引張り部材と、前記１対のレッグループのうち右足用のレッグループの後部に一端が固定され、斜め上方に伸びて左腰を回って腰部の前面を斜めに下りて前記右足用のレッグループに調節機能付き接続具で接続される他方の引張り部材とを具備するものである。
【００２８】
請求項２１の発明にかかる骨盤矯正補助具は、左右の足をそれぞれ通して衣服の下の足の付け根近傍に装着する１対のレッグループと、前記１対のレッグループの外側面にそれぞれ固定されて上方へ伸びる１対の補助部材と、前記１対のレッグループのうち左足用のレッグループの後部に一端が固定され、斜め上方に伸びて右腰を回って腰部の前面を斜めに下りて前記１対の補助部材のうち左足用の補助部材に調節機能付き接続具で接続される一方の引張り部材と、前記１対のレッグループのうち右足用のレッグループの後部に一端が固定され、斜め上方に伸びて左腰を回って腰部の前面を斜めに下りて前記１対の補助部材のうち右足用の補助部材に調節機能付き接続具で接続される他方の引張り部材とを具備し、前記左足用の補助部材の上端は前記他方の引張り部材に前記左腰部で固定され、前記右足用の補助部材の上端は前記一方の引張り部材に前記右腰部で固定されているものである。
【００２９】
請求項２２の発明にかかる骨盤矯正補助具は、請求項２０または請求項２１の構成において、前記一方の引張り部材と前記他方の引張り部材とが前記調節機能付き接続具で接続される代わりに、前記レッグループまたは前記補助部材に固定されているものである。
【００３０】
請求項２３の発明にかかる骨盤矯正補助具は、請求項１３乃至請求項２２のいずれか１つの構成において、前記１対または２対の引張り部分或いは前記１対の引張り部材の一方に他方の引張り部分或いは引張り部材をくぐらせるループが設けられているものである。
【００３１】
請求項２４の発明にかかる骨盤矯正補助具は、左右２つずつのレッグループがそれぞれ上下方向に所定間隔離して接続部材で接続され、衣服の下の腰背面に装着する腰背面部分と、前記腰背面部分に続いて互いに腰回り前部で交差するようにそれぞれ左右に斜め下方に向かって伸びる１または２以上の弾性材からなる１対の引張り部分とを具備し、前記１対の引張り部分は交差部分の下方で左右の上方のレッグループにそれぞれ固定され、さらに前記１対の引張り部分の先端は前記接続部材または前記左右の下方のレッグループにそれぞれ固定されているものである。
【００３２】
請求項２５の発明にかかる骨盤矯正補助具は、前中心で分離された腰ベルト部分と、前記腰ベルト部分と１対の接続部材によってそれぞれ接続固定された左右１対のレッグループと、前記腰ベルト部分の左先端と前記左右１対のレッグループのうち右側のレッグループとを接続する１または２以上の弾性材からなる一方の引張り部分と、前記腰ベルト部分の右先端と前記左右１対のレッグループのうち左側のレッグループとを接続する１または２以上の弾性材からなる他方の引張り部分とを具備するものである。
【００３３】
請求項２６の発明にかかる骨盤矯正補助具は、請求項２５の構成において、前記腰ベルト部分の背面部下方と前記１対の接続部材の背面間と前記１対のレッグループ上方との間に生ずる空間に生地を張り巡らせたものである。
【００３４】
請求項２７の発明にかかる骨盤矯正補助具は、請求項２６の構成において、前記生地はパワーネットであるものである。
【００３５】
請求項２８の発明にかかる骨盤矯正補助具は、衣服の下の腰回りに装着する腰ベルト部分と、前記腰ベルト部分の前中心近傍にそれぞれ上端を固定されて前記腰回りの前方で互いに交差しない方向に斜め外側下方に伸びた１または２以上の弾性材からなる１対の引張り部分と、前記１対の引張り部分の先端にそれぞれ固定された左右の足をそれぞれ通して衣服の下の足の付け根近傍に装着する１対のレッグループとを具備するものである。
【００３６】
請求項２９の発明にかかる骨盤矯正補助具は、請求項２８の構成において、前記腰ベルト部分が前中心で分離されており、調節機構付き接続具によって接続されているものである。
【００３７】
請求項３０の発明にかかる骨盤矯正補助具は、衣服の下の腰回りに装着する腰ベルト部分と、左右の足をそれぞれ通して衣服の下の足の付け根近傍に装着する１対のレッグループに両端を固定された弾性材からなる１本の引張り部材とを具備し、前記腰ベルト部分の前中心と前記引張り部材の中央とに互いに接続可能な１組の調節機能付き接続具を固定したものである。
【００３８】
請求項３１の発明にかかる骨盤矯正補助具は、請求項１乃至請求項３０のいずれか１つの構成において、前記１対または２対の引張り部分または引張り部材に加えて、前記腰ベルト部分、前記腰背面部分、前記１対の環状部分、前記１対または２対のレッグループも含む、前記１対の調節機能付き接続具以外の全ての部分が弾性材から構成されているものである。
【００３９】
請求項３２の発明にかかる骨盤矯正補助具は、請求項１乃至請求項３１のいずれか１つの構成において、前記腰ベルト部分または前記腰背面部分が弾性材から構成されており、前記腰ベルト部分または前記腰背面部分の背面部分の内側にさらに弾性材を取付けたものである。
【００４０】
請求項３３の発明にかかる骨盤矯正補助具は、請求項１乃至請求項３２のいずれか１つの構成において、前記弾性材はオペロンゴムであるものである。
【発明の効果】
【００４１】
請求項１の発明にかかる骨盤矯正補助具は、衣服の下の腰回りに装着する腰ベルト部分と、腰ベルト部分の前中心からそれぞれ左右に斜め下方に向かって伸びる１または２以上の弾性材からなる１対の引張り部分と、１対の引張り部分の先端にそれぞれ設けられた左右の足をそれぞれ通して衣服の下の足の付け根近傍に装着する環状に形成された１対の環状部分とを具備するものである。
【００４２】
ここで、腰ベルト部分、引張り部分、環状部分の太さ（幅）は均一でも良いし、異なっていても良く、腰ベルト部分、環状部分の材質は種々の生地・布地であっても、また引張り部分と同じく弾性材であっても良い。また、弾性材としてはオペロンゴム（所謂ゴムベルト）を始めとして、種々の弾性材を用いることができる。
【００４３】
このような構成を有する骨盤矯正補助具を衣服の下に装着することによって、１または２以上の弾性材からなる１対の引張り部分で足の付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。例えば、骨盤の歪みによって腰に痛みを感じる人は多いが、本発明にかかる骨盤矯正補助具を装着するだけで腰が後ろから押されることになるため楽に感じて、進んで骨盤矯正補助具を装着して生活するようになるため、続けることが苦にならない。しかも、構造が簡単であるため製造が容易で安価な矯正補助具となる。
【００４４】
さらに、装着して歩くことによって、ウエスト回りが腰ベルト部分でマッサージされ、下腹部分が１対の引張り部分でマッサージされ、太もも部分が環状部分でマッサージされて、各部分のぜい肉が落ちて引き締められるという効果も得られる。
【００４５】
このようにして、ズボンやスカート等の下に装着して歩くだけで特に意識しなくても自然に“ビーナスウォーク”をすることができ、容易にかつ安価に骨盤の歪みを矯正することができ、さらにウエスト回り・下腹部分・太もも部分を引き締めることができる骨盤矯正補助具となる。
【００４６】
請求項２の発明にかかる骨盤矯正補助具は、１対の環状部分の先端が環状部分の根元にそれぞれ固定されている。固定の方法には縫付け・接着等の方法があるが、しっかり固定されればどのような方法でも構わない。これによって、簡単な構造で丈夫な矯正補助具となり、装着するのも容易になる。
【００４７】
このようにして、ズボンやスカート等の下に装着して歩くだけで特に意識しなくても自然に“ビーナスウォーク”をすることができ、容易にかつ安価に骨盤の歪みを矯正することができ、さらにウエスト回り・下腹部分・太もも部分を引き締めることができる骨盤矯正補助具となる。
【００４８】
請求項３の発明にかかる骨盤矯正補助具は、１対の環状部分の先端に環状部分を構成する素材をくぐらせるループがそれぞれ設けられている。これによって、環状部分の大きさを調節することができ、足の付け根近傍が太い人も細い人もぴったりフィットした着け心地となる。
【００４９】
このようにして、着け心地が良く、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００５０】
請求項４の発明にかかる骨盤矯正補助具は、１対の環状部分の先端が腰ベルト部分にそれぞれ固定されており、その近傍に環状部分を構成する素材をくぐらせるループがそれぞれ設けられているものである。このように環状部分の先端が腰ベルト部分に固定されていることによって、左右の環状部分の位置が安定してより装着し易くなる。そして、環状部分の大きさを調節することができるため、足の付け根近傍が太い人も細い人もぴったりフィットした着け心地となる。
【００５１】
このようにして、より装着し易くて着け心地が良く、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００５２】
請求項５の発明にかかる骨盤矯正補助具は、腰ベルト部分が前中心またはその他の位置において分離可能であり、１対の調節機能付き接続具によって接続され、１対の調節機能付き接続具による接続位置を変えることによって腰ベルト部分の長さを調節できるものである。
【００５３】
ここで、１対の調節機能付き接続具としては複数の接続位置に取付けられたホックまたはメンカンを有するカギホック、接着布（マジックテープ（登録商標））、複数の接続位置に取付けられた凹側または凸側を有するドット釦、フックアイテープ、グリッパーテープ、ファッションミニバックル、スナップテープ、等を用いることができる。これらの調節機能付き接続具によって腰ベルト部分の長さを調節することができ、腰回りの心地良いフィット感が得られる。さらに、腰ベルト部分が前中心において分離可能である場合には、左右の引張り部分も分離されて長さが調節されるので、最適な引張り力で足の付け根近傍を引張ることができる。これによって、より効果的な“ビーナスウォーク”をすることができるとともに、着け心地が一層良くなって着けるだけで何となく体が楽になるため、装着を習慣付けて骨盤矯正の効果を上げることができる。
【００５４】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００５５】
請求項６の発明にかかる骨盤矯正補助具は、衣服の下の腰回りに装着する腰ベルト部分と、腰ベルト部分に巻き付けられて腰ベルト部分の周方向にスライド可能な１対の腰スライド部材と、１対の腰スライド部材にそれぞれ上端を固定されて互いに交差する方向に斜め下方に伸びた１または２以上の弾性材からなる１対の引張り部分と、１対の引張り部分の先端にそれぞれ設けられた左右の足をそれぞれ通して衣服の下の足の付け根近傍に装着する環状に形成された１対の環状部分とを具備するものである。
【００５６】
かかる構造を有するため、１対の腰スライド部材を腰ベルト部分の周方向にスライドさせることで引張り部分の位置を調節することができ、したがって引張り力を調節することができる。即ち、適切な引張り力で適切な方向に足の付け根近傍を引張ることができ、これによって、より効果的な“ビーナスウォーク”をすることができるとともに、着け心地が一層良くなって着けるだけで何となく体が楽になるため、装着を習慣付けて骨盤矯正の効果を上げることができる。
【００５７】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００５８】
請求項７の発明にかかる骨盤矯正補助具は、１対の環状部分の根元近傍には環状部分を形成する素材に巻き付けられて素材の長さ方向にスライド可能な足スライド部材がそれぞれ設けられ、環状部分の先端は足スライド部材にそれぞれ固定されているものである。かかる構造を有するため、装着する人の足の付け根近傍の太さに合わせて環状部分の大きさを自由に調節することができ、足の付け根近傍が太めの人も細めの人もぴったりフィットした装着感を感じることができて、着け心地が一層良くなって着けるだけで何となく体が楽になるため、装着を習慣付けて骨盤矯正の効果を上げることができる。
【００５９】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００６０】
請求項８の発明にかかる骨盤矯正補助具においては、腰スライド部材及び／または足スライド部材の裏側（腰ベルト部分または環状部分を形成する素材と接触する側）には滑り止めが設けられている。これによって、下半身を大きく動かしても腰スライド部材及び／または足スライド部材は設定した位置からずれることがなく、快適な装着感を持続することができる。
【００６１】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００６２】
請求項９の発明にかかる骨盤矯正補助具は、腰スライド部材及び／または足スライド部材はバックルを備えており、１対の引張り部分の上端及び／または環状部分の先端はバックルに取付けられているものである。これによって、引張り部分の位置とは独立に引張り部分による引張り力を調節することができ、最適な引張り力で最適な方向に足の付け根近傍を引張ることができて、さらに効果的な“ビーナスウォーク”をすることができるとともに、着け心地が一層良くなって着けるだけで何となく体が楽になるため、装着を習慣付けて骨盤矯正の効果を上げることができる。
【００６３】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００６４】
請求項１０の発明にかかる骨盤矯正補助具は、１対の引張り部分の一方に他方の引張り部分をくぐらせるループが設けられているものである。これによって、１対の引張り部分が互いに絡まったりすることがなく、スムーズに装着することができる。
【００６５】
このようにして、装着が容易で、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００６６】
請求項１１の発明にかかる骨盤矯正補助具は、衣服の下の腰背面に装着する腰背面部分と、腰背面部分に続いて互いに交差するようにそれぞれ左右に斜め下方に向かって伸びる１または２以上の弾性材からなる１対の引張り部分と、１対の引張り部分の先端にそれぞれ設けられた左右の足をそれぞれ通して衣服の下の足の付け根近傍に装着する環状に形成された１対の環状部分とを具備し、１対の環状部分は環状部分の先端に環状部分を構成する素材をくぐらせるループが設けられている。ここで、「腰背面部分」は伸縮性の無い生地や布地で作られていても良いし、１対の引張り部分と同じく弾性材からなるものでも良い。
【００６７】
このように、少なくとも１対の引張り部分が弾性材からなるものであり、１対の環状部分は足の付け根近傍にぴったりフィットするように装着できるため、請求項１〜請求項１０の発明にかかる骨盤矯正補助具のように腰ベルト部分がなくても、装着して下半身を大きく動かしても腰背面部分がずれることなく、骨盤を内側に回転させるように引張って自然に“ビーナスウォーク”をさせるように作用する。さらに、腰背面部分によって腰が後ろから押されるため腰の痛い人は装着しただけで気持ちが良く、装着を習慣付けて骨盤矯正の効果を上げることができる。そして、構成がより簡単であるため製造がより容易で、さらにコストダウンすることができる。
【００６８】
このようにして、着け心地が良く装着を習慣付けることができ、さらにコストダウンでき、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００６９】
請求項１２の発明にかかる骨盤矯正補助具は、腰背面部分タイプで、１対の環状部分は環状部分の先端が１対の引張り部分にそれぞれ固定されており、その近傍に環状部分を構成する素材をくぐらせるループが設けられているものである。このように環状部分の先端が１対の引張り部分にそれぞれ固定されていることによって、左右の環状部分の位置が安定してより装着し易くなる。そして、環状部分の大きさを調節することができるため、足の付け根近傍が太い人も細い人もぴったりフィットした着け心地となる。
【００７０】
このようにして、装着がより容易でさらにコストダウンでき、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００７１】
請求項１３の発明にかかる骨盤矯正補助具は、衣服の下の腰背面に装着する腰背面部分と、腰背面部分に続いて互いに腰回り前部で交差するようにそれぞれ左右に斜め下方に向かって伸びる１または２以上の弾性材からなる１対の引張り部分と、１対の引張り部分の先端にそれぞれ固定された左右の足をそれぞれ通して衣服の下の足の付け根近傍に装着する１対のレッグループとを具備するものである。
【００７２】
即ち、本発明にかかる骨盤矯正補助具も腰背面部分タイプであるが、１対の引張り部分の先端が環状部分になっている代わりに１対のレッグループが固定されている。レッグループは生地・布地または弾性材を筒状にしたものであり、サイズさえ合っていれば環状部分の場合よりもさらに装着し易い。また、弾性材からなるレッグループの場合は、より広範囲のサイズに対応することができる。
【００７３】
このようにして、装着がより容易で、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００７４】
請求項１４の発明にかかる骨盤矯正補助具は、腰背面部分に長さ或いは引張り力を調節する調節機構を設けたものである。即ち、本発明にかかる骨盤矯正補助具も腰背面部分タイプであるが、その腰背面部分に調節機構を設けて腰背面部分の長さ或いは引張り力を調節可能にしている。したがって、「調節機構」としては具体的には腰背面部分を中間で分離させて１対の長さ調節可能な調節機能付き接続具で接続したもの等が考えられる。
【００７５】
ここで、調節機能付き接続具としては、複数の接続位置に取付けられたホックまたはメンカンを有するカギホック、接着布（マジックテープ（登録商標））、複数の接続位置に取付けられた凹側または凸側を有するドット釦、フックアイテープ、グリッパーテープ、ファッションミニバックル、スナップテープ、等を用いることができる。これらの調節機能付き接続具によって腰背面部分の長さを調節することができ、腰背面の心地良いフィット感が得られる。
【００７６】
このようにして、着け心地が良く装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００７７】
請求項１５の発明にかかる骨盤矯正補助具は、腰ベルト部分と、腰ベルト部分の対向した部分に固定されて互いに交差するようにそれぞれ左右に斜め下方に向かって伸びる１または２以上の弾性材からなる１対の引張り部分と、その先端にそれぞれ固定された左右の足をそれぞれ通して足の付け根近傍に装着する１対のレッグループまたは１対の環状部分とを具備するものである。
【００７８】
ここで、腰ベルト部分、引張り部分及びレッグループまたは１対の環状部分の幅は均一でも良いし、異なっていても良く、腰ベルト部分及びレッグループまたは１対の環状部分の材質は種々の生地・布地であっても、また引張り部分と同じく弾性材であっても良い。また、弾性材としてはオペロンゴム（所謂ゴムベルト）を始めとして、種々の弾性材を用いることができる。
【００７９】
このような構成を有する骨盤矯正補助具を衣服の下に装着することによって、弾性材からなる１対の引張り部分で足の付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。例えば、骨盤の歪みによって腰に痛みを感じる人は多いが、本発明にかかる骨盤矯正補助具を装着するだけで腰が後ろから押されることになるため楽に感じて、進んで骨盤矯正補助具を装着して生活するようになるため、続けることが苦にならない。しかも、構造が簡単であるため製造が容易で安価な矯正補助具となる。
【００８０】
このようにして、着け心地が良く装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００８１】
請求項１６の発明にかかる骨盤矯正補助具は、腰ベルト部分と、腰ベルト部分に巻き付けられて周方向にスライド可能な１対の腰スライド部材と、１対の腰スライド部材にそれぞれ上端を固定されて互いに交差する方向に斜め下方に伸びた１または２以上の弾性材からなる１対の引張り部分と、その先端にそれぞれ固定された左右の足をそれぞれ通して足の付け根近傍に装着する１対のレッグループまたは１対の環状部分とを具備するものである。
【００８２】
かかる構造を有するため、１対の腰スライド部材を腰ベルト部分の周方向にスライドさせることで引張り部分の位置を調節することができ、したがって引張り力を調節することができる。即ち、適切な引張り力で適切な方向に足の付け根近傍を引張ることができ、これによって、より効果的な“ビーナスウォーク”をすることができるとともに、着け心地が一層良くなって着けるだけで何となく体が楽になるため、装着を習慣付けて骨盤矯正の効果を上げることができる。
【００８３】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００８４】
請求項１７の発明にかかる骨盤矯正補助具は、腰ベルト部分と、腰ベルト部分の対向した部分に固定されて腰回りの前後でそれぞれ互いに交差するようにそれぞれ左右に斜め下方に向かって伸びる１または２以上の弾性材からなる２対の引張り部分と、２対の引張り部分の先端にそれぞれ固定された左右の足をそれぞれ通して足の付け根近傍に装着する１対のレッグループまたは１対の環状部分とを具備するものである。
【００８５】
即ち、本発明にかかる骨盤矯正補助具は、腰回りの前後にそれぞれ交差した各１対の引張り部分が設けられるものである。これによって、骨盤の回転がより強力に促進されてより効果的な“ビーナスウォーク”をすることができるとともに、腰回りの後ろに設けられた１対の引張り部分によってお尻が持ち上げられてプロポーションが良くなる。したがって、装着することによりプロポーション良く見せられるので、進んで装着するようになり続けることが苦にならない。
【００８６】
このようにして、装着を習慣付けることができ、ズボンやスカート等の下に装着して歩くだけで特に意識しなくても自然にかつより効果的に“ビーナスウォーク”をすることができ、骨盤の歪みを矯正することができ、さらにウエスト回り・下腹部分・太もも部分に加えてヒップ部分をも引き締めることができる骨盤矯正補助具となる。
【００８７】
請求項１８の発明にかかる骨盤矯正補助具は、腰ベルト部分と、腰ベルト部分に巻き付けられて周方向にスライド可能な２対の腰スライド部材と、２対の腰スライド部材にそれぞれ上端を固定されて腰回りの前後でそれぞれ互いに交差する方向に斜め下方に伸びた１または２以上の弾性材からなる２対の引張り部分と、それらの各先端にそれぞれ固定された左右の足をそれぞれ通して足の付け根近傍に装着する１対のレッグループまたは１対の環状部分とを具備するものである。
【００８８】
かかる構造によって、前後各１対の腰スライド部材を腰ベルト部分の周方向にスライドさせることで引張り部分の位置を調節することができ、したがって引張り力を調節することができる。即ち、適切な引張り力で適切な方向に足の付け根近傍を引張ることができ、これによって骨盤の回転がより強力に促進されて、より効果的な“ビーナスウォーク”をすることができるとともに、着け心地が一層良くなって着けるだけで何となく体が楽になるため、装着を習慣付けて骨盤矯正の効果を上げることができる。さらに、腰回りの後ろに設けられた１対の引張り部分によってお尻が持ち上げられるため、プロポーションが良くなる。
【００８９】
このようにして、着け心地がより良くなって装着を習慣付けることができ、ズボンやスカート等の下に装着して歩くだけで特に意識しなくても自然にかつより効果的に“ビーナスウォーク”をすることができ、骨盤の歪みを矯正することができ、さらにウエスト回り・下腹部分・太もも部分に加えてヒップ部分をも引き締めることができる骨盤矯正補助具となる。
【００９０】
請求項１９の発明にかかる骨盤矯正補助具においては、腰スライド部材の裏側（腰ベルト部分を形成する素材と接触する側）には滑り止めが設けられている。これによって、下半身を大きく動かしても腰スライド部材は設定した位置からずれることがなく、快適な装着感を持続することができる。
【００９１】
このようにして、着け心地が一層良くなって装着を習慣付けることができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【００９２】
請求項２０の発明にかかる骨盤矯正補助具は、左右の足をそれぞれ通して足の付け根近傍に装着する１対のレッグループと、１対のレッグループのうち左足用のレッグループの後部に一端が固定され、斜め上方に伸びて右腰を回って腰部の前面を斜めに下りて左足用のレッグループに調節機能付き接続具で接続される一方の引張り部材と、右足用のレッグループの後部に一端が固定され、斜め上方に伸びて左腰を回って腰部の前面を斜めに下りて右足用のレッグループに調節機能付き接続具で接続される他方の引張り部材とを具備するものである。
【００９３】
ここで、「調節機能付き接続具」としては、複数の接続位置に取付けられたホックまたはメンカンを有するカギホック、接着布（マジックテープ（登録商標））、複数の接続位置に取付けられた凹側または凸側を有するドット釦、フックアイテープ、グリッパーテープ、ファッションミニバックル、スナップテープ、等を用いることができる。
【００９４】
即ち、本発明にかかる骨盤矯正補助具は腰ベルト部分がなく、左右１対のレッグループとそこから斜めに伸びて反対側の腰を回って一周し、腰回りの前後でそれぞれ交差する１対の引張り部材とから構成されている。これによって、腰回りの後ろではより顕著なヒップアップの効果を得ることができ、調節機能付き接続具で引張り部材の引張り力を最適に調節することができるのでより効果的な“ビーナスウォーク”をすることができる。そして、部材数が少ないのでより簡単に製造することができ、低コスト化することができる。
【００９５】
このようにして、着け心地がより良くなって装着を習慣付けることができ、ズボンやスカート等の下に装着して歩くだけで特に意識しなくても自然にかつより効果的に“ビーナスウォーク”をすることができ、骨盤の歪みを矯正することができ、さらにウエスト回り・下腹部分・太もも部分を引き締めることができる骨盤矯正補助具となる。
【００９６】
請求項２１の発明にかかる骨盤矯正補助具は、左右の足をそれぞれ通して足の付け根近傍に装着する１対のレッグループと、１対のレッグループの外側面にそれぞれ固定されて上方へ伸びる１対の補助部材と、１対のレッグループのうち左足用のレッグループの後部に一端が固定され、斜め上方に伸びて右腰を回って腰部の前面を斜めに下りて１対の補助部材のうち左足用の補助部材に調節機能付き接続具で接続される一方の引張り部材と、右足用のレッグループの後部に一端が固定され、斜め上方に伸びて左腰を回って腰部の前面を斜めに下りて右足用の補助部材に調節機能付き接続具で接続される他方の引張り部材とを具備し、左足用の補助部材の上端は他方の引張り部材に左腰部で固定され、右足用の補助部材の上端は一方の引張り部材に右腰部で固定されている。
【００９７】
即ち、本発明にかかる骨盤矯正補助具は、左右に補助部材を上下方向に取付けることによって引張り部材をより上方で着脱できるようにしたものである。これによって、引張り部材の着脱がより容易になり、しかも請求項２０の発明にかかる骨盤矯正補助具と同様の作用効果が得られる。
【００９８】
このようにして、着け心地がより良くなって装着を習慣付けることができ、ズボンやスカート等の下に装着して歩くだけで特に意識しなくても自然にかつより効果的に“ビーナスウォーク”をすることができ、骨盤の歪みを矯正することができ、さらにウエスト回り・下腹部分・太もも部分を引き締めることができる骨盤矯正補助具となる。
【００９９】
請求項２２の発明にかかる骨盤矯正補助具は、一方の引張り部材と他方の引張り部材とが調節機能付き接続具で接続される代わりに、レッグループまたは補助部材に固定されているものである。固定の方法としては、縫付け・接着等がある。これによって、製造工程はより簡単になるが、引張り力の調節ができないので、１対の引張り部材は弾性材で製造する必要がある。
【０１００】
このようにして、より製造工程が簡単になって低コスト化することができ、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１０１】
請求項２３の発明にかかる骨盤矯正補助具は、１対または２対の引張り部分或いは１対の引張り部材の一方に他方の引張り部分或いは引張り部材をくぐらせるループが設けられているものである。これによって、交差部分において引張り部分或いは引張り部材がまとまって絡み合うことなく、装着がより容易になる。なお、「ループ」は生地・布地でも弾性材でも良い。
【０１０２】
このようにして、装着がより容易になり、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１０３】
請求項２４の発明にかかる骨盤矯正補助具は、左右２つずつのレッグループがそれぞれ上下方向に所定間隔離して接続部材で接続され、腰背面に装着する腰背面部分と、腰背面部分に続いて互いに腰回り前部で交差するようにそれぞれ左右に斜め下方に向かって伸びる１または２以上の弾性材からなる１対の引張り部分とを具備し、１対の引張り部分は交差部分の下方で左右の上方のレッグループにそれぞれ固定され、さらに１対の引張り部分の先端は接続部材または左右の下方のレッグループにそれぞれ固定されているものである。
【０１０４】
このように上下２つのレッグループを接続部材でつないで設けたことにより、足の付け根近傍における装着感がより強まって心地良いフィット感が得られる。そして、１対の引張り部分が上方のレッグループの直ぐ上で交差することによって、一歩々々歩くたびに骨盤を内側にねじる力が強力に作用して自然に“ビーナスウォーク”をさせる。
【０１０５】
このようにして、より心地良い装着感を得ることができ、ズボンやスカート等の下に装着して歩くだけで特に意識しなくても自然にかつ確実に“ビーナスウォーク”をすることができ、骨盤の歪みを矯正することができ、さらにウエスト回り・下腹部分・太もも部分を引き締めることができる骨盤矯正補助具となる。
【０１０６】
請求項２５の発明にかかる骨盤矯正補助具は、前中心で分離された腰ベルト部分と、腰ベルト部分と１対の接続部材によってそれぞれ接続固定された左右１対のレッグループと、腰ベルト部分の左先端と左右１対のレッグループのうち右側のレッグループとを接続する１または２以上の弾性材からなる一方の引張り部分と、腰ベルト部分の右先端と左側のレッグループとを接続する１または２以上の弾性材からなる他方の引張り部分とを具備するものである。
【０１０７】
これによって、本発明にかかる骨盤矯正補助具はパンツ形状に構成されることになり、着脱が極めて容易であるとともに、腰前面で交差する１対の引張り部分が一歩々々歩くたびに骨盤を内側に骨盤を内側に回転させて、自然に“ビーナスウォーク”をさせる。
【０１０８】
このようにして、着脱が極めて容易で、ズボンやスカート等の下に装着して歩くだけで特に意識しなくても自然にかつ確実に“ビーナスウォーク”をすることができ、骨盤の歪みを矯正することができ、さらにウエスト回り・下腹部分・太もも部分を引き締めることができる骨盤矯正補助具となる。
【０１０９】
請求項２６の発明にかかる骨盤矯正補助具は、腰ベルト部分の背面部下方と１対の接続部材の背面間と１対のレッグループ上方との間に生ずる空間に生地を張り巡らせたものである。これによって、パンツ形状の骨盤矯正補助具の着脱がさらに容易になるとともに、腰前面で交差する１対の引張り部分が一歩々々歩くたびに骨盤を内側に骨盤を内側に回転させて、自然に“ビーナスウォーク”をさせる。そして、背面に生地を張り巡らせたことによって、装着することによるヒップアップの効果も得られる。
【０１１０】
このようにして、着脱が極めて容易で、ズボンやスカート等の下に装着して歩くだけで特に意識しなくても自然にかつ確実に“ビーナスウォーク”をすることができ、さらにヒップアップの効果も得られ、骨盤の歪みを矯正することができ、さらにウエスト回り・下腹部分・太もも部分を引き締めることができる骨盤矯正補助具となる。
【０１１１】
請求項２７の発明にかかる骨盤矯正補助具は、空間に張り巡らせた生地がパワーネットであるものである。これによって、パンツ形状の骨盤矯正補助具の着脱がさらに容易になるとともに、より優れたヒップアップの効果も得られ、シルエットを綺麗に見せることができる。
【０１１２】
このようにして、着脱が極めて容易で、ズボンやスカート等の下に装着して歩くだけで特に意識しなくても自然にかつ確実に“ビーナスウォーク”をすることができ、さらにより優れたヒップアップの効果も得られ、骨盤の歪みを矯正することができ、さらにウエスト回り・下腹部分・太もも部分を引き締めることができる骨盤矯正補助具となる。
【０１１３】
請求項２８の発明にかかる骨盤矯正補助具は、衣服の下の腰回りに装着する腰ベルト部分と、腰ベルト部分の前中心近傍にそれぞれ上端を固定されて腰回りの前方で互いに交差しない方向に斜め外側下方に伸びた１または２以上の弾性材からなる１対の引張り部分と、その先端にそれぞれ固定された左右の足をそれぞれ通して足の付け根近傍に装着する１対のレッグループとを具備するものである。
【０１１４】
本発明にかかる骨盤矯正補助具は、上述した各請求項にかかる骨盤矯正補助具と異なり、１対の引張り部分が交差せずに互いに離れて斜め外側下方に伸びている。このような構成によっても、装着して歩くだけで骨盤が内側に回転させられて、自然に“ビーナスウォーク”をすることができる。また、構造が簡単であるため製造が容易で低コスト化することができる。
【０１１５】
このようにして、ズボンやスカート等の下に装着して歩くだけで特に意識しなくても自然に“ビーナスウォーク”をすることができ、構造が簡単で低コスト化することができ、骨盤の歪みを矯正することができ、さらにウエスト回り・下腹部分・太もも部分を引き締めることができる骨盤矯正補助具となる。
【０１１６】
請求項２９の発明にかかる骨盤矯正補助具は、前記腰ベルト部分が前中心で分離されており、調節機構付き接続具によって接続されているものである。
【０１１７】
ここで、「調節機構付き接続具」としては複数の接続位置に取付けられたホックまたはメンカンを有するカギホック、接着布（マジックテープ（登録商標））、複数の接続位置に取付けられた凹側または凸側を有するドット釦、フックアイテープ、グリッパーテープ、ファッションミニバックル、スナップテープ、等を用いることができる。これらの調節機能付き接続具によって腰ベルト部分の長さを調節することができ、腰回りの心地良いフィット感が得られる。さらに、腰ベルト部分が前中心において分離可能であるため、左右の引張り部分も分離されて長さが調節されるので、最適な引張り力で足の付け根近傍を引張ることができる。これによって、より効果的な“ビーナスウォーク”をすることができるとともに、着け心地が一層良くなって着けるだけで何となく体が楽になるため、装着を習慣付けて骨盤矯正の効果を上げることができる。
【０１１８】
このようにして、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１１９】
請求項３０の発明にかかる骨盤矯正補助具は、腰回りに装着する腰ベルト部分と、左右の足をそれぞれ通して足の付け根近傍に装着する１対のレッグループに両端を固定された弾性材からなる１本の引張り部材とを具備し、腰ベルト部分の前中心と引張り部材の中央とに互いに接続可能な１組の調節機構付き接続具を固定したものである。ここで、「１組の調節機構付き接続具」としては複数の接続位置に取付けられたホックまたはメンカンを有するカギホック、接着布（マジックテープ（登録商標））、複数の接続位置に取付けられた凹側または凸側を有するドット釦、フックアイテープ、グリッパーテープ、ファッションミニバックル、スナップテープ、等を用いることができる。
【０１２０】
したがって、１本の引張り部材の中央を上方へ引張って１組の調節機構付き接続具によって腰ベルト部分の前中心に接続することによって、上記請求項２７の発明にかかる骨盤矯正補助具と同様な構造を形成することができ、同様な効果を得ることができる。
【０１２１】
このようにして、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１２２】
請求項３１の発明にかかる骨盤矯正補助具は、１対または２対の引張り部分または引張り部材に加えて、腰ベルト部分、腰背面部分、１対の環状部分、１対または２対のレッグループも含む、調節機能付き接続具以外の全ての部分が弾性材から構成されているものである。これによって、骨盤の歪みを矯正する効果も、各部を引き締める効果も、また装着のし易さも一段と向上して、より優れた骨盤矯正補助具となる。
【０１２３】
このようにして、ズボンやスカート等の下に装着して歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１２４】
請求項３２の発明にかかる骨盤矯正補助具は、腰ベルト部分または腰背面部分が弾性材から構成されており、腰ベルト部分または腰背面部分の背面部分の内側にさらに弾性材を取付けたものである。これによって、装着すると腰ベルト部分または腰背面部分が前方に伸びることによって、背面部分の内側に取付けられた弾性材が腰や大転子周辺を押すことになり、立ったとき、座ったとき、歩くときの姿勢が良くなり、骨盤の歪みがより正常に戻り易くなる。また、歩くときに腰を一歩ごとに押すので、腰周辺の筋肉が柔らかくなり血流が良くなるというマッサージ効果も得られる。
【０１２５】
このようにして、ズボンやスカート等の下に装着するだけで姿勢が良くなり、歩くだけで特に意識しなくても自然に“ビーナスウォーク”をすることができ、骨盤の歪みを矯正することができ、さらにウエスト回り・下腹部分・太もも部分を引き締めることができる骨盤矯正補助具となる。
【０１２６】
請求項３３の発明にかかる骨盤矯正補助具は、弾性材としてオペロンゴムを使用したものである。オペロンゴムは、優れたストレッチ性、抜群のフィット性を持った弾性材であり、家庭における洗濯による型崩れやドライクリーニングによる老化の心配もない。特に、調節機能付き接続具を除く全体をオペロンゴムで作製した骨盤矯正補助具は、骨盤の歪みを矯正する効果も、各部を引き締める効果も、また装着のし易さも一段と向上して、より優れた骨盤矯正補助具となる。
【０１２７】
このようにして、ズボンやスカート等の下に装着して歩くだけで特に意識しなくても自然にかつより効果的に“ビーナスウォーク”をすることができ、骨盤の歪みを矯正することができ、さらにウエスト回り・下腹部分・太もも部分を引き締めることができる骨盤矯正補助具となる。
【発明を実施するための最良の形態】
【０１２８】
以下、本発明の実施の形態について、図面を参照しつつ説明する。
【０１２９】
実施の形態１
まず、本発明の実施の形態１について、図１を参照して説明する。図１（ａ）は本発明の実施の形態１にかかる骨盤矯正補助具の全体構造を示す正面図、（ｂ）は本発明の実施の形態１にかかる骨盤矯正補助具を装着した状態を示す正面図、（ｃ）は背面図、（ｄ）は本発明の実施の形態１にかかる骨盤矯正補助具を前後逆に装着した状態を示す正面図、（ｅ）は背面図である。
【０１３０】
図１（ａ）に示されるように、本実施の形態１にかかる骨盤矯正補助具１は、腰回りＷに装着する腰ベルト部分２と、腰ベルト部分２の前中心２ａからそれぞれ左右に斜め下方に向かって伸びる１対の引張り部分３Ａ，３Ｂと、引張り部分３Ａ，３Ｂの先端にそれぞれ設けられた右足ＲＬ及び左足ＬＬをそれぞれ通して足の付け根近傍に装着する環状に形成された１対の環状部分４Ａ，４Ｂとを具備し、これら環状部分の先端５Ａ，５Ｂが環状部分の根元にそれぞれ縫付けられて固定されている。そして、腰ベルト部分２，引張り部分３Ａ，３Ｂ，環状部分４Ａ，４Ｂの全てが幅約６ｃｍのオペロンゴムから製造されている。
【０１３１】
即ち、本実施の形態１にかかる骨盤矯正補助具１は、請求項１，請求項２，請求項３１及び請求項３３の発明にかかる骨盤矯正補助具に対応するものである。このような構成の骨盤矯正補助具１を、図１（ｂ），（ｃ）に示されるように衣服の下に装着することによって、オペロンゴムからなる１対の引張り部分３Ａ，３Ｂで両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１３２】
例えば、骨盤の歪みによって腰に痛みを感じる人は多いが、本実施の形態１にかかる骨盤矯正補助具１を装着するだけで腰が後ろから押されることになるため楽に感じて、進んで骨盤矯正補助具１を装着して生活するようになるため、続けることが苦にならない。しかも、構造が簡単であるため製造が容易で安価な矯正補助具となる。
【０１３３】
また、腰ベルト部分２，環状部分４Ａ，４Ｂもオペロンゴムでできているため、腰回りＷ、両足ＲＬ，ＬＬの付け根近傍にそれぞれぴったりフィットし、心地良い装着感を味わうことができる。さらに、図１（ｂ），（ｃ）に示されるように骨盤矯正補助具１を装着して歩くことによって、ウエスト回りＷが腰ベルト部分２でマッサージされ、下腹部分が１対の引張り部分３Ａ，３Ｂでマッサージされ、両足ＲＬ，ＬＬの太もも部分が環状部分４Ａ，４Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具１は、骨盤の歪みを矯正する効果も、各部を引き締める効果も、また装着のし易さも一段と向上して、より優れた骨盤矯正補助具となる。
【０１３４】
また、図１（ｄ），（ｅ）に示されるように、この骨盤矯正補助具１を前後逆に装着することによっても、良い姿勢で真っ直ぐに歩くだけで自然に骨盤が内側へ回転して“ビーナスウォーク”をすることができるとともに、１対の引張り部分３Ａ，３Ｂ及び環状部分４Ａ，４ＢによってヒップＨが持ち上げられてヒップアップの効果も得られて、特に女性にとってはプロポーションを美しく見せることができ、進んで装着するようになる。
【０１３５】
実施の形態２
次に、本発明の実施の形態２について、図２を参照して説明する。図２（ａ）は本発明の実施の形態２にかかる骨盤矯正補助具の全体構造を示す正面図、（ｂ）は本発明の実施の形態２にかかる骨盤矯正補助具を装着した状態を示す正面図、（ｃ）は背面図、（ｄ）は本発明の実施の形態２にかかる骨盤矯正補助具を前後逆に装着した状態を示す正面図、（ｅ）は背面図である。
【０１３６】
図２（ａ）に示されるように、本実施の形態２にかかる骨盤矯正補助具６は、腰回りＷに装着する腰ベルト部分２と、腰ベルト部分２の前中心２ａからそれぞれ左右に斜め下方に向かって伸びる１対の引張り部分３Ａ，３Ｂと、引張り部分３Ａ，３Ｂの先端にそれぞれ設けられた右足ＲＬ及び左足ＬＬをそれぞれ通して足の付け根近傍に装着する環状に形成された１対の環状部分７Ａ，７Ｂとを具備し、これら環状部分の先端９Ａ，９Ｂが腰ベルト部分２にそれぞれ縫付けられて固定されている。また、環状部分７Ａ，７Ｂの根元にはそれぞれ環状部分７Ａ，７Ｂをくぐらせるループ８Ａ，８Ｂが縫付けられている。そして、腰ベルト部分２，引張り部分３Ａ，３Ｂ，環状部分７Ａ，７Ｂ，ループ８Ａ，８Ｂの全てが、ループ８Ａ，８Ｂは幅約２ｃｍ、それ以外の部分は幅約６ｃｍのオペロンゴムから製造されている。
【０１３７】
即ち、本実施の形態２にかかる骨盤矯正補助具６は、請求項１，請求項４，請求項３１及び請求項３３の発明にかかる骨盤矯正補助具に対応するものである。なお、請求項３の発明にかかる骨盤矯正補助具に対応するように環状部分の先端９Ａ，９Ｂを腰ベルト部分２に固定せずに環状部分の先端９Ａ，９Ｂに、環状部分７Ａ，７Ｂをくぐらせるループ８Ａ，８Ｂを設けた構造としても良い。
【０１３８】
このような構成の骨盤矯正補助具６を、図２（ｂ），（ｃ）に示されるように衣服の下に装着することによって、オペロンゴムからなる１対の引張り部分３Ａ，３Ｂによって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１３９】
また、腰ベルト部分２，環状部分７Ａ，７Ｂもオペロンゴムでできているため、腰回りＷ、両足ＲＬ，ＬＬの付け根近傍にそれぞれぴったりフィットし、心地良い装着感を味わうことができる。さらに、環状部分７Ａ，７Ｂの先端９Ａ，９Ｂが腰ベルト部分２に縫付けられて固定されていることによって、左右の環状部分の位置７Ａ，７Ｂが安定してより装着し易くなる。そして、ループ８Ａ，８Ｂによって環状部分７Ａ，７Ｂの大きさを調節することができるため、両足ＲＬ，ＬＬの付け根近傍が太い人も細い人もぴったりフィットした着け心地となる。
【０１４０】
さらに、図２（ｂ），（ｃ）に示されるように骨盤矯正補助具６を装着して歩くことによって、ウエスト回りＷが腰ベルト部分２でマッサージされ、下腹部分が１対の引張り部分３Ａ，３Ｂでマッサージされ、両足ＲＬ，ＬＬの太もも部分が環状部分７Ａ，７Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具６は、骨盤の歪みを矯正する効果も、各部を引き締める効果も、また装着のし易さも一段と向上して、より優れた骨盤矯正補助具となる。
【０１４１】
また、図２（ｄ），（ｅ）に示されるように、この骨盤矯正補助具６を前後逆に装着することによっても、良い姿勢で真っ直ぐに歩くだけで自然に骨盤が内側へ回転して“ビーナスウォーク”をすることができるとともに、１対の引張り部分３Ａ，３Ｂ及び環状部分７Ａ，７ＢによってヒップＨが持ち上げられてヒップアップの効果も得られて、特に女性にとってはプロポーションを美しく見せることができ、進んで装着するようになる。
【０１４２】
実施の形態３
次に、本発明の実施の形態３について、図３を参照して説明する。図３（ａ）は本発明の実施の形態３にかかる骨盤矯正補助具の全体構造を示す正面図、（ｂ）は本発明の実施の形態３にかかる骨盤矯正補助具を装着した状態を示す正面図、（ｃ）は背面図、（ｄ）は本発明の実施の形態３にかかる骨盤矯正補助具を前後逆に装着した状態を示す正面図、（ｅ）は背面図である。
【０１４３】
図３（ａ）に示されるように、本実施の形態３にかかる骨盤矯正補助具１１は、腰回りＷに装着する腰ベルト部分１２と、腰ベルト部分１２の前中心からそれぞれ左右に斜め下方に向かって伸びる１対の引張り部分１４Ａ，１４Ｂと、引張り部分１４Ａ，１４Ｂの先端にそれぞれ設けられた右足ＲＬ及び左足ＬＬをそれぞれ通して足の付け根近傍に装着する環状に形成された１対の環状部分４Ａ，４Ｂとを具備し、これら環状部分４Ａ，４Ｂの先端５Ａ，５Ｂが環状部分４Ａ，４Ｂの根元にそれぞれ縫付けられて固定されている。そして、腰ベルト部分１２，引張り部分１４Ａ，１４Ｂ，環状部分４Ａ，４Ｂの全てが、幅約６ｃｍのオペロンゴムから製造されている。
【０１４４】
そして、腰ベルト部分１２が前中心において分離可能であり、１対の調節機能付き接続具１３Ａ，１３Ｂによって接続され、１対の調節機能付き接続具１３Ａ，１３Ｂによる接続位置を変えることによって腰ベルト部分１２の長さを調節できるものである。即ち、本実施の形態３にかかる骨盤矯正補助具１１は、請求項１，請求項５，請求項３１及び請求項３３の発明にかかる骨盤矯正補助具に対応するものである。
【０１４５】
これによって、図３（ｂ），（ｃ）に示されるように骨盤矯正補助具１１を装着する際に、腰ベルト部分１２の長さを調節することができ、腰回りＷの心地良いフィット感が得られる。さらに、腰ベルト部分１２が前中心において分離可能であるために、左右の引張り部分１４Ａ，１４Ｂも分離されて長さが調節されるので、最適な引張り力で両足ＲＬ，ＬＬの付け根近傍を引張ることができる。これによって、より効果的な“ビーナスウォーク”をすることができるとともに、着け心地が一層良くなって着けるだけで何となく体が楽になるため、装着を習慣付けて骨盤矯正の効果を上げることができる。
【０１４６】
ここで、本実施の形態３にかかる骨盤矯正補助具１１においては、１対の調節機能付き接続具１３Ａ，１３Ｂとして複数の接続位置に取付けられたメンカンを有するカギホックを用いているが、これ以外にも接着布、複数の接続位置に取付けられた凹側または凸側を有するドット釦、フックアイテープ、グリッパーテープ、ファッションミニバックル、スナップテープ、等を用いることができる。
【０１４７】
さらに、図３（ｂ），（ｃ）に示されるように骨盤矯正補助具１１を装着して歩くことによって、ウエスト回りＷが腰ベルト部分１２でマッサージされ、下腹部分が１対の引張り部分１４Ａ，１４Ｂでマッサージされ、両足ＲＬ，ＬＬの太もも部分が環状部分４Ａ，４Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、カギホック１３Ａ，１３Ｂ以外の全体をオペロンゴムで作製した骨盤矯正補助具１１は、骨盤の歪みを矯正する効果も、各部を引き締める効果も、また装着のし易さも一段と向上して、より優れた骨盤矯正補助具となる。
【０１４８】
また、図３（ｄ），（ｅ）に示されるように、この骨盤矯正補助具１１を前後逆に装着することによっても、良い姿勢で真っ直ぐに歩くだけで自然に骨盤が内側へ回転して“ビーナスウォーク”をすることができるとともに、１対の引張り部分１４Ａ，１４Ｂ及び環状部分４Ａ，４ＢによってヒップＨが持ち上げられてヒップアップの効果も得られて、特に女性にとってはプロポーションを美しく見せることができ、進んで装着するようになる。
【０１４９】
実施の形態４
次に、本発明の実施の形態４について、図４を参照して説明する。図４（ａ）は本発明の実施の形態４にかかる骨盤矯正補助具の全体構造を示す正面図、（ｂ）は本発明の実施の形態４にかかる骨盤矯正補助具を装着した状態を示す正面図、（ｃ）は背面図、（ｄ）は本発明の実施の形態４にかかる骨盤矯正補助具を前後逆に装着した状態を示す正面図、（ｅ）は背面図である。
【０１５０】
図４（ａ）に示されるように、本実施の形態４にかかる骨盤矯正補助具１６は、腰背面に装着する腰背面部分１７と、腰背面部分１７に続いて互いに交差するようにそれぞれ左右に斜め下方に向かって伸びる１対の引張り部分１８Ａ，１８Ｂと、引張り部分１８Ａ，１８Ｂの先端にそれぞれ設けられた左右の足をそれぞれ通して足の付け根近傍に装着する環状に形成された１対の環状部分１９Ａ，１９Ｂとを具備し、環状部分１９Ａ，１９Ｂの先端１５Ａ，１５Ｂが引張り部分１８Ａ，１８Ｂにそれぞれ固定されており、その近傍に環状部分１９Ａ，１９Ｂをくぐらせるループ２０Ａ，２０Ｂが設けられている。
【０１５１】
そして、腰背面部分１７，引張り部分１８Ａ，１８Ｂ，環状部分１９Ａ，１９Ｂ，ループ２０Ａ，２０Ｂの全てが、ループ２０Ａ，２０Ｂは幅約２ｃｍ、それ以外の部分は幅約６ｃｍのオペロンゴムから製造されている。即ち、本実施の形態４にかかる骨盤矯正補助具１６は、請求項１１，請求項１２，請求項３１及び請求項３３の発明にかかる骨盤矯正補助具に対応するものである。
【０１５２】
このような構成の骨盤矯正補助具１６を、図４（ｂ），（ｃ）に示されるように衣服の下に装着することによって、オペロンゴムからなる１対の引張り部分１８Ａ，１８Ｂによって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１５３】
さらに、図４（ｂ），（ｃ）に示されるように骨盤矯正補助具１６を装着して歩くことによって、ウエスト回りＷが腰背面部分１７でマッサージされ、下腹部分が１対の引張り部分１８Ａ，１８Ｂでマッサージされ、両足ＲＬ，ＬＬの太もも部分が環状部分１９Ａ，１９Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具１６は、骨盤の歪みを矯正する効果も、各部を引き締める効果も、また装着のし易さも一段と向上して、より優れた骨盤矯正補助具となる。
【０１５４】
また、図４（ｄ），（ｅ）に示されるように、この骨盤矯正補助具１６を前後逆に装着することによっても、良い姿勢で真っ直ぐに歩くだけで自然に骨盤が内側へ回転して“ビーナスウォーク”をすることができるとともに、１対の引張り部分１８Ａ，１８Ｂ及び環状部分１９Ａ，１９ＢによってヒップＨが持ち上げられてヒップアップの効果も得られて、特に女性にとってはプロポーションを美しく見せることができ、進んで装着するようになる。
【０１５５】
実施の形態５
次に、本発明の実施の形態５について、図６を参照して説明する。図６（ａ）は本発明の実施の形態５にかかる骨盤矯正補助具の全体構造を示す正面図、（ｂ）は本発明の実施の形態５にかかる骨盤矯正補助具を装着した状態を示す正面図、（ｃ）は背面図である。
【０１５６】
図６（ａ）に示されるように、本実施の形態５にかかる骨盤矯正補助具３１は、衣服の下の腰回りＷに装着する腰ベルト部分２と、腰ベルト部分２に巻き付けられて周方向にスライド可能な１対の腰スライド部材３２Ａ，３２Ｂと、腰スライド部材３２Ａ，３２Ｂにそれぞれ上端を固定されて互いに交差する方向に斜め下方に伸びた１対の引張り部分３３Ａ，３３Ｂと、引張り部分３３Ａ，３３Ｂの先端にそれぞれ設けられた左右の足をそれぞれ通して足の付け根近傍に装着する環状に形成された１対の環状部分３４Ａ，３４Ｂとを具備し、環状部分３４Ａ，３４Ｂの根元近傍には環状部分３４Ａ，３４Ｂを形成する素材に巻き付けられて長さ方向にスライド可能な足スライド部材３５Ａ，３５Ｂがそれぞれ設けられ、環状部分３４Ａ，３４Ｂの先端は足スライド部材３５Ａ，３５Ｂにそれぞれ固定されている。
【０１５７】
さらに、腰スライド部材３２Ａ，３２Ｂの裏側には滑り止めとしてのシリコンゴム３７Ａ，３７Ｂがそれぞれ縫付けられている。また、１対の引張り部分３３Ａ，３３Ｂの交差部分には、引張り部分３３Ｂに引張り部分３３Ａをくぐらせるためのループ３６が取付けられている。そして、腰ベルト部分２，引張り部分３３Ａ，３３Ｂ，環状部分３４Ａ，３４Ｂ，ループ３６，腰スライド部材３２Ａ，３２Ｂ，足スライド部材３５Ａ，３５Ｂの全てが、ループ３６は幅約２ｃｍ、それ以外の部分は幅約６ｃｍのオペロンゴムから製造されている。即ち、本実施の形態５にかかる骨盤矯正補助具３１は、請求項６乃至請求項８，請求項１０，請求項１６，請求項３１及び請求項３３の発明にかかる骨盤矯正補助具に対応するものである。
【０１５８】
したがって、腰スライド部材３２Ａ，３２Ｂを腰ベルト部分２の周方向にスライドさせることで引張り部分３３Ａ，３３Ｂの位置を調節することができ、引張り力を調節することができる。即ち、適切な引張り力で適切な方向に両足ＲＬ，ＬＬの付け根近傍を引張ることができ、これによって、より効果的な“ビーナスウォーク”をすることができるとともに、着け心地が一層良くなって着けるだけで何となく体が楽になるため、装着を習慣付けて骨盤矯正の効果を上げることができる。
【０１５９】
また、足スライド部材３５Ａ，３５Ｂをスライドさせることによって、両足ＲＬ，ＬＬの付け根近傍の太さに合わせて環状部分３４Ａ，３４Ｂの大きさを自由に調節することができ、両足ＲＬ，ＬＬの付け根近傍が太めの人も細めの人もぴったりフィットした装着感を感じることができて、着け心地が一層良くなって着けるだけで何となく体が楽になるため、装着を習慣付けて骨盤矯正の効果を上げることができる。さらに、腰スライド部材３２Ａ，３２Ｂの裏側（腰ベルト部分を形成する素材と接触する側）には滑り止め３７Ａ，３７Ｂが設けられているため、下半身を大きく動かしても腰スライド部材３２Ａ，３２Ｂは設定した位置からずれることがなく、快適な装着感を持続することができる。
【０１６０】
このようにして、骨盤矯正補助具３１を、図６（ｂ），（ｃ）に示されるように衣服の下に装着することによって、オペロンゴムからなる１対の引張り部分３３Ａ，３３Ｂによって両足ＲＬ，ＬＬの付け根近傍が内側へ適切な引張り力で引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１６１】
さらに、図６（ｂ），（ｃ）に示されるように骨盤矯正補助具３１を装着して歩くことによって、ウエスト回りＷが腰ベルト部分２でマッサージされ、下腹部分が１対の引張り部分３３Ａ，３３Ｂでマッサージされ、両足ＲＬ，ＬＬの太もも部分が環状部分３４Ａ，３４Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具３１は、骨盤の歪みを矯正する効果も、各部を引き締める効果も、また装着のし易さも一段と向上して、より優れた骨盤矯正補助具となる。
【０１６２】
また、この骨盤矯正補助具３１を前後逆に装着することによっても、良い姿勢で真っ直ぐに歩くだけで自然に骨盤が内側へ回転して“ビーナスウォーク”をすることができるとともに、１対の引張り部分３３Ａ，３３Ｂ及び環状部分３４Ａ，３４ＢによってヒップＨが持ち上げられてヒップアップの効果も得られ、特に女性にとってはプロポーションを美しく見せることができ、進んで装着するようになる。
【０１６３】
実施の形態６
次に、本発明の実施の形態６について、図７を参照して説明する。図７（ａ）は本発明の実施の形態６にかかる骨盤矯正補助具の全体構造を示す正面図、（ｂ）は本発明の実施の形態６にかかる骨盤矯正補助具を装着した状態を示す正面図、（ｃ）は背面図である。
【０１６４】
図７（ａ）に示されるように、本実施の形態６にかかる骨盤矯正補助具４１は、衣服の下の腰回りＷに装着する腰ベルト部分２と、腰ベルト部分２に巻き付けられて周方向にスライド可能な１対の腰スライド部材３２Ａ，３２Ｂと、腰スライド部材３２Ａ，３２Ｂにそれぞれ取付けられたバックル３８Ａ，３８Ｂと、バックル３８Ａ，３８Ｂに上端３９Ａ，３９Ｂを取付けられて互いに交差する方向に斜め下方に伸びた１対の引張り部分３３Ａ，３３Ｂと、引張り部分３３Ａ，３３Ｂの先端にそれぞれ設けられた左右の足をそれぞれ通して足の付け根近傍に装着する環状に形成された１対の環状部分３４Ａ，３４Ｂとを具備し、環状部分３４Ａ，３４Ｂの根元近傍には環状部分３４Ａ，３４Ｂを形成する素材に巻き付けられて長さ方向にスライド可能な足スライド部材３５Ａ，３５Ｂが設けられ、環状部分３４Ａ，３４Ｂの先端は足スライド部材３５Ａ，３５Ｂにそれぞれ固定されている。
【０１６５】
さらに、腰スライド部材３２Ａ，３２Ｂの裏側には滑り止めとしての図示しないシリコンゴムがそれぞれ縫付けられている。また、１対の引張り部分３３Ａ，３３Ｂの交差部分には、引張り部分３３Ｂに引張り部分３３Ａをくぐらせるためのループ３６が取付けられている。そして、腰ベルト部分２，引張り部分３３Ａ，３３Ｂ，環状部分３４Ａ，３４Ｂ，ループ３６，腰スライド部材３２Ａ，３２Ｂ，足スライド部材３５Ａ，３５Ｂの全てが、ループ３６は幅約２ｃｍ、それ以外の部分は幅約６ｃｍのオペロンゴムから製造されている。即ち、本実施の形態６にかかる骨盤矯正補助具４１は、請求項６乃至請求項１０，請求項３１及び請求項３３の発明にかかる骨盤矯正補助具に対応するものである。
【０１６６】
したがって、腰スライド部材３２Ａ，３２Ｂを腰ベルト部分２の周方向にスライドさせることで引張り部分３３Ａ，３３Ｂの位置を調節することができ、さらにバックル３８Ａ，３８Ｂに上端３９Ａ，３９Ｂをどれだけ通すかによって引張り部分３３Ａ，３３Ｂによる引張り力を最適に調節することができる。即ち、最適な引張り力で最適な方向に両足ＲＬ，ＬＬの付け根近傍を引張ることができ、これによって、さらに効果的な“ビーナスウォーク”をすることができるとともに、着け心地が一層良くなって着けるだけで何となく体が楽になるため、装着を習慣付けて骨盤矯正の効果を上げることができる。
【０１６７】
また、足スライド部材３５Ａ，３５Ｂをスライドさせることによって、両足ＲＬ，ＬＬの付け根近傍の太さに合わせて環状部分３４Ａ，３４Ｂの大きさを自由に調節することができ、両足ＲＬ，ＬＬの付け根近傍が太めの人も細めの人もぴったりフィットした装着感を感じることができて、着け心地が一層良くなって着けるだけで何となく体が楽になるため、装着を習慣付けて骨盤矯正の効果を上げることができる。さらに、腰スライド部材３２Ａ，３２Ｂの裏側（腰ベルト部分を形成する素材と接触する側）には図示しない滑り止めが設けられているため、下半身を大きく動かしても腰スライド部材３２Ａ，３２Ｂは設定した位置からずれることがなく、快適な装着感を持続することができる。
【０１６８】
このようにして、骨盤矯正補助具４１を、図７（ｂ），（ｃ）に示されるように衣服の下に装着することによって、オペロンゴムからなる１対の引張り部分３３Ａ，３３Ｂによって両足ＲＬ，ＬＬの付け根近傍が内側へ最適な引張り力で引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１６９】
さらに、図７（ｂ），（ｃ）に示されるように骨盤矯正補助具４１を装着して歩くことによって、ウエスト回りＷが腰ベルト部分２でマッサージされ、下腹部分が１対の引張り部分３３Ａ，３３Ｂでマッサージされ、両足ＲＬ，ＬＬの太もも部分が環状部分３４Ａ，３４Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具４１は、骨盤の歪みを矯正する効果も、各部を引き締める効果も、また装着のし易さも一段と向上して、より優れた骨盤矯正補助具となる。
【０１７０】
また、この骨盤矯正補助具４１を前後逆に装着することによっても、良い姿勢で真っ直ぐに歩くだけで自然に骨盤が内側へ回転して“ビーナスウォーク”をすることができるとともに、１対の引張り部分３３Ａ，３３Ｂ及び環状部分３４Ａ，３４ＢによってヒップＨが持ち上げられてヒップアップの効果も得られ、特に女性にとってはプロポーションを美しく見せることができ、進んで装着するようになる。
【０１７１】
実施の形態７
次に、本発明の実施の形態７について、図８を参照して説明する。図８（ａ）は本発明の実施の形態７にかかる骨盤矯正補助具の全体構造を示す正面図、（ｂ）は本発明の実施の形態７にかかる骨盤矯正補助具を装着した状態を示す正面図、（ｃ）は背面図、（ｄ）は本発明の実施の形態７にかかる骨盤矯正補助具を前後逆に装着した状態を示す正面図、（ｅ）は背面図である。
【０１７２】
図８（ａ）に示されるように、本実施の形態７にかかる骨盤矯正補助具４２は、腰背面に装着する腰背面部分１７と、腰背面部分１７に続いて互いに交差するようにそれぞれ左右に斜め下方に向かって伸びる１対の引張り部分１８Ａ，１８Ｂと、引張り部分１８Ａ，１８Ｂの先端にそれぞれ設けられた左右の足をそれぞれ通して足の付け根近傍に装着する１対のレッグループ４３Ａ，４３Ｂとを具備し、引張り部分１８Ａ，１８Ｂの交差部分には引張り部分１８Ｂに引張り部分１８Ａをくぐらせるループ３６が設けられている。
【０１７３】
そして、腰背面部分１７，引張り部分１８Ａ，１８Ｂ，レッグループ４３Ａ，４３Ｂ，ループ３６の全てが、ループ３６は幅約２ｃｍ、それ以外の部分は幅約６ｃｍのオペロンゴムから製造されている。即ち、本実施の形態７にかかる骨盤矯正補助具４２は、請求項１３，請求項２３，請求項３１及び請求項３３の発明にかかる骨盤矯正補助具に対応するものである。
【０１７４】
このような構成の骨盤矯正補助具４２を、図８（ｂ），（ｃ）に示されるように衣服の下に装着することによって、オペロンゴムからなる１対の引張り部分１８Ａ，１８Ｂによって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１７５】
さらに、図８（ｂ），（ｃ）に示されるように骨盤矯正補助具４２を装着して歩くことによって、ウエスト回りＷが腰背面部分１７でマッサージされ、下腹部分が１対の引張り部分１８Ａ，１８Ｂでマッサージされ、両足ＲＬ，ＬＬの太もも部分がレッグループ４３Ａ，４３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具４２は、骨盤の歪みを矯正する効果も、各部を引き締める効果も、また装着のし易さも一段と向上して、より優れた骨盤矯正補助具となる。
【０１７６】
また、図８（ｄ），（ｅ）に示されるように、この骨盤矯正補助具４２を前後逆に装着することによっても、良い姿勢で真っ直ぐに歩くだけで自然に骨盤が内側へ回転して“ビーナスウォーク”をすることができるとともに、１対の引張り部分１８Ａ，１８ＢによってヒップＨが持ち上げられてヒップアップの効果も得られて、特に女性にとってはプロポーションを美しく見せることができ、進んで装着するようになる。
【０１７７】
さらに、本実施の形態７にかかる骨盤矯正補助具４２は構造が極めて簡単であるため、製造が容易で短時間で製造することができ、低コスト化できる。
【０１７８】
実施の形態８
次に、本発明の実施の形態８について、図９を参照して説明する。図９（ａ）は本発明の実施の形態８にかかる骨盤矯正補助具の全体構造を示す正面図、（ｂ）は本発明の実施の形態８にかかる骨盤矯正補助具を装着した状態を示す正面図、（ｃ）は背面図、（ｄ）は本発明の実施の形態８にかかる骨盤矯正補助具を前後逆に装着した状態を示す正面図、（ｅ）は背面図である。
【０１７９】
図９（ａ）に示されるように、本実施の形態８にかかる骨盤矯正補助具４５は、衣服の下の腰回りに装着する腰ベルト部分２と、腰ベルト部分２の対向する位置に上端が縫付け固定されて互いに交差するようにそれぞれ左右に斜め下方に向かって伸びる１対の引張り部分４６Ａ，４６Ｂと、引張り部分４６Ａ，４６Ｂの先端にそれぞれ設けられた左右の足をそれぞれ通して足の付け根近傍に装着する１対のレッグループ４３Ａ，４３Ｂとを具備し、引張り部分４６Ａ，４６Ｂの交差部分には引張り部分４６Ｂに引張り部分４６Ａをくぐらせるループ３６が設けられている。
【０１８０】
そして、腰ベルト部分２，引張り部分４６Ａ，４６Ｂ，レッグループ４３Ａ，４３Ｂ，ループ３６の全てが、ループ３６は幅約２ｃｍ、それ以外の部分は幅約６ｃｍのオペロンゴムから製造されている。即ち、本実施の形態８にかかる骨盤矯正補助具４５は、請求項１５，請求項２３，請求項３１及び請求項３３の発明にかかる骨盤矯正補助具に対応するものである。
【０１８１】
このような構成の骨盤矯正補助具４５を、図９（ｂ），（ｃ）に示されるように衣服の下に装着することによって、オペロンゴムからなる１対の引張り部分４６Ａ，４６Ｂによって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１８２】
さらに、図９（ｂ），（ｃ）に示されるように骨盤矯正補助具４５を装着して歩くことによって、ウエスト回りＷが腰ベルト部分２でマッサージされ、下腹部分が１対の引張り部分４６Ａ，４６Ｂでマッサージされ、両足ＲＬ，ＬＬの太もも部分がレッグループ４３Ａ，４３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具４５は、骨盤の歪みを矯正する効果も、各部を引き締める効果も、また装着のし易さも一段と向上して、より優れた骨盤矯正補助具となる。
【０１８３】
また、図９（ｄ），（ｅ）に示されるように、この骨盤矯正補助具４５を前後逆に装着することによっても、良い姿勢で真っ直ぐに歩くだけで自然に骨盤が内側へ回転して“ビーナスウォーク”をすることができるとともに、１対の引張り部分４６Ａ，４６ＢによってヒップＨが持ち上げられてヒップアップの効果も得られて、特に女性にとってはプロポーションを美しく見せることができ、進んで装着するようになる。
【０１８４】
さらに、本実施の形態８にかかる骨盤矯正補助具４５は構造が極めて簡単であるため、製造が容易で短時間で製造することができ、低コスト化できる。
【０１８５】
実施の形態９
次に、本発明の実施の形態９について、図１０を参照して説明する。図１０（ａ）は本発明の実施の形態９にかかる骨盤矯正補助具の全体構造を示す斜視図、（ｂ）は本発明の実施の形態９にかかる骨盤矯正補助具を装着した状態を示す正面図、（ｃ）は背面図である。
【０１８６】
図１０（ａ）に示されるように、本実施の形態９にかかる骨盤矯正補助具４７は、腰回りに装着する腰ベルト部分２と、腰ベルト部分２の対向した部分に縫付け固定されて腰回りの前後でそれぞれ互いに交差するようにそれぞれ左右に斜め下方に向かって伸びる２対の引張り部分４６Ａ，４６Ｂ，４６Ｃ，４６Ｄと、２対の引張り部分４６Ａ，４６Ｂ，４６Ｃ，４６Ｄの先端にそれぞれ縫付け固定された左右の足をそれぞれ通して足の付け根近傍に装着する１対のレッグループ４３Ａ，４３Ｂとを具備し、２対の引張り部分４６Ａ，４６Ｂ，４６Ｃ，４６Ｄの交差部分には、それぞれ引張り部分４６Ｂに引張り部分４６Ａをくぐらせるループ３６Ａが、引張り部分４６Ｃに引張り部分４６Ｄをくぐらせるループ３６Ｂが設けられている。
【０１８７】
そして、腰ベルト部分２，２対の引張り部分４６Ａ，４６Ｂ，４６Ｃ，４６Ｄ，レッグループ４３Ａ，４３Ｂ，ループ３６Ａ，３６Ｂの全てが、ループ３６Ａ，３６Ｂは幅約２ｃｍ、それ以外の部分は幅約６ｃｍのオペロンゴムから製造されている。即ち、本実施の形態９にかかる骨盤矯正補助具４７は、請求項１７，請求項２３，請求項３１及び請求項３３の発明にかかる骨盤矯正補助具に対応するものである。
【０１８８】
このような構成の骨盤矯正補助具４７を、図１０（ｂ）に示されるように衣服の下に装着することによって、オペロンゴムからなる前部の１対の引張り部分４６Ａ，４６Ｂによって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。また、図１０（ｃ）に示されるように、オペロンゴムからなる後部の１対の引張り部分４６Ｃ，４６ＤによってヒップＨが持ち上げられてヒップアップの効果も得られて、特に女性にとってはプロポーションを美しく見せることができる。
【０１８９】
上記各実施の形態においては、骨盤矯正補助具を前後逆に装着しなければヒップアップの効果が得られなかったが、本実施の形態９にかかる骨盤矯正補助具４７においては、正常に装着するだけで“ビーナスウォーク”の効果とヒップアップの効果が同時に得られるため、進んで装着するようになる。
【０１９０】
さらに、図１０（ｂ），（ｃ）に示されるように骨盤矯正補助具４７を装着して歩くことによって、ウエスト回りＷが腰ベルト部分２でマッサージされ、下腹部分が１対の引張り部分４６Ａ，４６Ｂでマッサージされ、両足ＲＬ，ＬＬの太もも部分がレッグループ４３Ａ，４３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具４７は、骨盤の歪みを矯正する効果も、各部を引き締める効果も、また装着のし易さも一段と向上して、より優れた骨盤矯正補助具となる。
【０１９１】
実施の形態１０
次に、本発明の実施の形態１０について、図１１を参照して説明する。図１１（ａ）は本発明の実施の形態１０にかかる骨盤矯正補助具の全体構造を示す斜視図、（ｂ）は本発明の実施の形態１０にかかる骨盤矯正補助具を装着した状態を示す正面図、（ｃ）は背面図である。
【０１９２】
図１１（ａ）に示されるように、本実施の形態１０にかかる骨盤矯正補助具４８は、腰回りに装着する腰ベルト部分２と、腰ベルト部分２に巻き付けられて周方向にスライド可能な２対の腰スライド部材４９Ａ，４９Ｂ，４９Ｃ，４９Ｄと、これらに上端を縫付け固定されて腰回りの前後でそれぞれ互いに交差するようにそれぞれ左右に斜め下方に向かって伸びた２対の引張り部分４６Ａ，４６Ｂ，４６Ｃ，４６Ｄと、２対の引張り部分４６Ａ，４６Ｂ，４６Ｃ，４６Ｄの先端にそれぞれ縫付け固定された左右の足をそれぞれ通して足の付け根近傍に装着する１対のレッグループ４３Ａ，４３Ｂとを具備し、２対の引張り部分４６Ａ，４６Ｂ，４６Ｃ，４６Ｄの交差部分には、それぞれ引張り部分４６Ｂに引張り部分４６Ａをくぐらせるループ３６Ａが、引張り部分４６Ｃに引張り部分４６Ｄをくぐらせるループ３６Ｂが設けられている。
【０１９３】
そして、腰ベルト部分２，２対の引張り部分４６Ａ，４６Ｂ，４６Ｃ，４６Ｄ，レッグループ４３Ａ，４３Ｂ，ループ３６Ａ，３６Ｂ，腰スライド部材４９Ａ，４９Ｂ，４９Ｃ，４９Ｄの全てが、ループ３６Ａ，３６Ｂは幅約２ｃｍ、それ以外の部分は幅約６ｃｍのオペロンゴムから製造されている。即ち、本実施の形態１０にかかる骨盤矯正補助具４８は、請求項１８，請求項２３，請求項３１及び請求項３３の発明にかかる骨盤矯正補助具に対応するものである。なお、さらに請求項１９の発明にかかる骨盤矯正補助具に対応するように、腰スライド部材４９Ａ，４９Ｂ，４９Ｃ，４９Ｄの裏側に滑り止めを設けても良い。
【０１９４】
このような構成の骨盤矯正補助具４８を、図１１（ｂ）に示されるように衣服の下に装着して、腰スライド部材４９Ａ，４９Ｂを腰ベルト部分２の周方向にスライドさせて前部の１対の引張り部分４６Ａ，４６Ｂを調節することによって、オペロンゴムからなる前部の１対の引張り部分４６Ａ，４６Ｂによって両足ＲＬ，ＬＬの付け根近傍が適切な引張り力で内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０１９５】
また、図１１（ｃ）に示されるように、オペロンゴムからなる後部の１対の引張り部分４６Ｃ，４６ＤによってヒップＨが持ち上げられてヒップアップの効果も得られて、特に女性にとってはプロポーションを美しく見せることができる。このように、本実施の形態１０にかかる骨盤矯正補助具４８においては、正常に装着するだけで“ビーナスウォーク”の効果とヒップアップの効果が同時に得られるため、進んで装着するようになる。
【０１９６】
さらに、図１１（ｂ），（ｃ）に示されるように骨盤矯正補助具４８を装着して歩くことによって、ウエスト回りＷが腰ベルト部分２でマッサージされ、下腹部分が１対の引張り部分４６Ａ，４６Ｂでマッサージされ、両足ＲＬ，ＬＬの太もも部分がレッグループ４３Ａ，４３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具４８は、骨盤の歪みを矯正する効果も、各部を引き締める効果も、また装着のし易さも一段と向上して、より優れた骨盤矯正補助具となる。
【０１９７】
実施の形態１１
次に、本発明の実施の形態１１について、図１２を参照して説明する。図１２（ａ）は本発明の実施の形態１１にかかる骨盤矯正補助具の全体構造を示す正面図、（ｂ）は背面図、（ｃ）は本発明の実施の形態１１にかかる骨盤矯正補助具を装着した状態を示す正面図、（ｄ）は背面図である。
【０１９８】
図１２（ａ）に示されるように、本実施の形態１１にかかる骨盤矯正補助具５１は、左右の足ＲＬ，ＬＬをそれぞれ通して足の付け根近傍に装着する１対のレッグループ５３Ａ，５３Ｂと、１対のレッグループ５３Ａ，５３Ｂのうち左足用のレッグループ５３Ｂの後部に一端が固定され、斜め上方に伸びて右腰を回って腰部の前面を斜めに下りて左足用のレッグループ５３Ｂに調節機能付き接続具５５Ｂで接続される一方の引張り部材５２Ａと、右足用のレッグループ５３Ａの後部に一端が固定され、斜め上方に伸びて左腰を回って腰部の前面を斜めに下りて右足用のレッグループ５３Ａに調節機能付き接続具５５Ａで接続される他方の引張り部材５２Ｂとを具備する。
【０１９９】
ここで、調節機能付き接続具５５Ａ，５５Ｂとしては接着布（マジックテープ（登録商標））を用いているが、調節機能付き接続具としては他にも複数の接続位置に取付けられたホックまたはメンカンを有するカギホック、複数の接続位置に取付けられた凹側または凸側を有するドット釦、フックアイテープ、グリッパーテープ、ファッションミニバックル、スナップテープ、等を用いることができる。
【０２００】
また、図１２（ｂ）に示されるように、一方の引張り部材５２Ａと他方の引張り部材５２Ｂとの背面側の交差部分には、引張り部材５２Ｂに引張り部材５２Ａをくぐらせるループ５４が設けられている。さらに、一方の引張り部材５２Ａと他方の引張り部材５２Ｂ，１対のレッグループ５３Ａ，５３Ｂそしてループ５４と、調節機能付き接続具５５Ａ，５５Ｂ以外の骨盤矯正補助具５１の全ての部分が、ループ５４は幅約２ｃｍ、それ以外の部分は幅約６ｃｍのオペロンゴムから製造されている。
【０２０１】
即ち、本実施の形態１１にかかる骨盤矯正補助具５１は、請求項２０，請求項２３，請求項３１及び請求項３３の発明にかかる骨盤矯正補助具に対応するものである。なお、請求項２０の代わりに請求項２２の発明にかかる骨盤矯正補助具に対応するように、一方の引張り部材５２Ａと他方の引張り部材５２Ｂをレッグループ５３Ａ，５３Ｂに両端とも縫付け固定しても良い。
【０２０２】
このような構成の骨盤矯正補助具５１を、図１２（ｃ），（ｄ）に示されるように衣服の下に装着することによって、オペロンゴムからなる１対の引張り部材５２Ａ，５２Ｂの前部によって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。また、図１２（ｄ）に示されるように、オペロンゴムからなる１対の引張り部材５２Ａ，５２Ｂの後部によってヒップＨが持ち上げられてヒップアップの効果も得られて、特に女性にとってはプロポーションを美しく見せることができる。
【０２０３】
さらに、図１２（ｃ），（ｄ）に示されるように骨盤矯正補助具５１を装着して歩くことによって、下腹部分が１対の引張り部材５２Ａ，５２Ｂでマッサージされ、両足ＲＬ，ＬＬの太もも部分がレッグループ５３Ａ，５３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具５１は、骨盤の歪みを矯正する効果も、各部を引き締める効果も、また装着のし易さも一段と向上して、より優れた骨盤矯正補助具となる。
【０２０４】
実施の形態１２
次に、本発明の実施の形態１２について、図１３を参照して説明する。図１３（ａ）は本発明の実施の形態１２にかかる骨盤矯正補助具の全体構造を示す斜視図、（ｂ）は本発明の実施の形態１２にかかる骨盤矯正補助具を装着した状態を示す正面図、（ｃ）は背面図である。
【０２０５】
図１３（ａ）に示されるように、本実施の形態１２にかかる骨盤矯正補助具５６は、左右の足ＲＬ，ＬＬをそれぞれ通して足の付け根近傍に装着する１対のレッグループ５３Ａ，５３Ｂと、レッグループ５３Ａ，５３Ｂの外側面にそれぞれ固定されて上方へ伸びる１対の補助部材５７Ａ，５７Ｂと、１対のレッグループ５３Ａ，５３Ｂのうち左足用のレッグループ５３Ｂの後部に一端が固定され、斜め上方に伸びて右腰を回って腰部の前面を斜めに下りて左足用の補助部材５７Ｂに調節機能付き接続具５８Ｂで接続される一方の引張り部材５２Ａと、右足用のレッグループ５３Ａの後部に一端が固定され、斜め上方に伸びて左腰を回って腰部の前面を斜めに下りて右足用の補助部材５７Ａに調節機能付き接続具５８Ａで接続される他方の引張り部材５２Ｂとを具備している。
【０２０６】
ここで、調節機能付き接続具５８Ａ，５８Ｂとしては複数の接続位置に取付けられたメンカンを有するカギホックを用いているが、調節機能付き接続具としては他にも接着布（マジックテープ（登録商標））、複数の接続位置に取付けられた凹側または凸側を有するドット釦、フックアイテープ、グリッパーテープ、ファッションミニバックル、スナップテープ、等を用いることができる。
【０２０７】
そして、左足用の補助部材５７Ｂの上端は他方の引張り部材５２Ｂに左腰部で縫付け固定され、右足用の補助部材５７Ａの上端は一方の引張り部材５２Ａに右腰部で固定されている。さらに、１対のレッグループ５３Ａ，５３Ｂ、１対の補助部材５７Ａ，５７Ｂ、１対の引張り部材５２Ａ，５２Ｂと、調節機能付き接続具５８Ａ，５８Ｂ以外の骨盤矯正補助具５６の全ての部分が、幅約６ｃｍのオペロンゴムから製造されている。
【０２０８】
即ち、本実施の形態１２にかかる骨盤矯正補助具５６は、請求項２１，請求項２３，請求項３１及び請求項３３の発明にかかる骨盤矯正補助具に対応するものである。なお、請求項２１の代わりに請求項２２の発明にかかる骨盤矯正補助具に対応するように、一方の引張り部材５２Ａと他方の引張り部材５２Ｂの先端を補助部材５７Ａ，５７Ｂに縫付け固定しても良い。
【０２０９】
このような構成の骨盤矯正補助具５６を、図１３（ｂ），（ｃ）に示されるように衣服の下に装着することによって、オペロンゴムからなる１対の引張り部材５２Ａ，５２Ｂの前部によって両足ＲＬ，ＬＬの付け根近傍が内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。また、図１３（ｃ）に示されるように、オペロンゴムからなる１対の引張り部材５２Ａ，５２Ｂの後部によってヒップＨが持ち上げられてヒップアップの効果も得られて、特に女性にとってはプロポーションを美しく見せることができる。
【０２１０】
さらに、図１３（ｂ），（ｃ）に示されるように骨盤矯正補助具５６を装着して歩くことによって、下腹部分が１対の引張り部材５２Ａ，５２Ｂでマッサージされ、両足ＲＬ，ＬＬの太もも部分がレッグループ５３Ａ，５３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具５６は、骨盤の歪みを矯正する効果も、各部を引き締める効果も、また装着のし易さも一段と向上して、より優れた骨盤矯正補助具となる。
【０２１１】
実施の形態１３
次に、本発明の実施の形態１３について、図１４を参照して説明する。図１４（ａ）は本発明の実施の形態１３にかかる骨盤矯正補助具を装着した状態を示す正面図、（ｂ）は背面図、（ｃ）は本発明の実施の形態１３にかかる骨盤矯正補助具を前後逆に装着した状態を示す正面図、（ｄ）は背面図である。
【０２１２】
図１４（ａ），（ｂ）に示されるように、本実施の形態１３にかかる骨盤矯正補助具６１は、衣服の下の腰背面に装着する腰背面部分６２と、腰背面部分６２に続いて互いに腰回り前部で交差するようにそれぞれ左右に斜め下方に向かって伸びる１対の引張り部材５２Ａ，５２Ｂと、１対の引張り部材５２Ａ，５２Ｂの先端に調節機能付き接続具５５Ａ，５５Ｂでそれぞれ接続された、左右の足ＲＬ，ＬＬをそれぞれ通して足の付け根近傍に装着する１対のレッグループ５３Ａ，５３Ｂとを具備し、腰背面部分６２に長さ及び引張り力を調節する調節機構としての調節機能付き接続具６３を設けたものである。
【０２１３】
ここで、調節機能付き接続具５５Ａ，５５Ｂとしては接着布（マジックテープ（登録商標））を用いているが、他にも複数の接続位置に取付けられたホックまたはメンカンを有するカギホック、複数の接続位置に取付けられた凹側または凸側を有するドット釦、フックアイテープ、グリッパーテープ、ファッションミニバックル、スナップテープ、等を用いることができる。また、調節機能付き接続具６３としては複数の接続位置に取付けられたメンカンを有するカギホックを用いているが、他にも接着布、複数の接続位置に取付けられた凹側または凸側を有するドット釦、フックアイテープ、グリッパーテープ、ファッションミニバックル、スナップテープ、等を用いることができる。
【０２１４】
そして、腰背面部分６２、１対の引張り部材５２Ａ，５２Ｂ、１対のレッグループ５３Ａ，５３Ｂと、調節機能付き接続具５５Ａ，５５Ｂ，６３以外の骨盤矯正補助具６１の全ての部分が、幅約６ｃｍのオペロンゴムから製造されている。即ち、本実施の形態１３にかかる骨盤矯正補助具６１は、請求項１３，請求項１４，請求項３１及び請求項３３の発明にかかる骨盤矯正補助具に対応するものである。なお、調節機能付き接続具５５Ａ，５５Ｂは１対の引張り部材５２Ａ，５２Ｂの引張り力を調節することができるが、腰背面部分６２の調節機能付き接続具６３によっても長さ及び引張り力を調節できるので、引張り部材５２Ａ，５２Ｂの先端はレッグループ５３Ａ，５３Ｂに縫付け固定しても良い。
【０２１５】
このような構成の骨盤矯正補助具６１を、図１４（ａ），（ｂ）に示されるように衣服の下に装着することで、オペロンゴムからなる１対の引張り部材５２Ａ，５２Ｂによって両足ＲＬ，ＬＬの付け根近傍が調節機能付き接続具５５Ａ，５５Ｂによって調節された引張り力で内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０２１６】
また、図１４（ａ），（ｂ）に示されるように骨盤矯正補助具６１を装着して歩くことによって、腰回りＷが腰背面部分６２でマッサージされ、下腹部分が１対の引張り部材５２Ａ，５２Ｂでマッサージされ、両足ＲＬ，ＬＬの太もも部分がレッグループ５３Ａ，５３Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具６１は、骨盤の歪みを矯正する効果も、各部を引き締める効果も、また装着のし易さも一段と向上して、より優れた骨盤矯正補助具となる。
【０２１７】
さらに、図１４（ｃ），（ｄ）に示されるように、この骨盤矯正補助具６１を前後逆に装着することによっても、良い姿勢で真っ直ぐに歩くだけで自然に骨盤が内側へ回転して“ビーナスウォーク”をすることができるとともに、１対の引張り部材５２Ａ，５２ＢによってヒップＨが持ち上げられてヒップアップの効果も得られて、特に女性にとってはプロポーションを美しく見せることができ、進んで装着するようになる。
【０２１８】
さらに、本実施の形態１３にかかる骨盤矯正補助具６１は構造が極めて簡単であるため、製造が容易で短時間で製造することができ、低コスト化できる。
【０２１９】
実施の形態１４
次に、本発明の実施の形態１４について、図１５を参照して説明する。図１５（ａ）は本発明の実施の形態１４にかかる骨盤矯正補助具の全体構造を示す斜視図、（ｂ）は本発明の実施の形態１４にかかる骨盤矯正補助具を装着した状態を示す正面図、（ｃ）は背面図、（ｄ）は本発明の実施の形態１４にかかる骨盤矯正補助具を前後逆に装着した状態を示す正面図、（ｅ）は背面図である。
【０２２０】
図１５（ａ）に示されるように、本実施の形態１４にかかる骨盤矯正補助具６６は、左右２つずつのレッグループ６７Ａ，６７Ｂ，６９Ａ，６９Ｂがそれぞれ上下方向に所定間隔離して接続部材６８Ａ，６８Ｂで接続され、衣服の下の腰背面に装着する腰背面部分１７と、腰背面部分１７に続いて互いに腰回り前部で交差するようにそれぞれ左右に斜め下方に向かって伸びる１対の引張り部分１８Ａ，１８Ｂとを具備し、１対の引張り部分１８Ａ，１８Ｂは交差部分の下方で左右の上方のレッグループ６７Ａ，６７Ｂにそれぞれ縫付け固定され、さらに１対の引張り部分１８Ａ，１８Ｂの先端７０Ａ，７０Ｂは接続部材６８Ａ，６８Ｂにそれぞれ縫付け固定されている。
【０２２１】
そして、腰背面部分１７、１対の引張り部分１８Ａ，１８Ｂ、その先端７０Ａ，７０Ｂ、２対のレッグループ６７Ａ，６７Ｂ，６９Ａ，６９Ｂ、接続部材６８Ａ，６８Ｂと、骨盤矯正補助具６６の全ての部分が、腰背面部分１７と引張り部分１８Ａ，１８Ｂは幅約６ｃｍのオペロンゴムから、それ以外の部分は幅約２ｃｍのオペロンゴムから製造されている。即ち、本実施の形態１４にかかる骨盤矯正補助具６６は、請求項２４，請求項３１及び請求項３３の発明にかかる骨盤矯正補助具に対応するものである。なお、引張り部分１８Ａ，１８Ｂの先端７０Ａ，７０Ｂは下方のレッグループ６９Ａ，６９Ｂにそれぞれ縫付け固定しても良い。
【０２２２】
このような構成の骨盤矯正補助具６６を、図１５（ｂ），（ｃ）に示されるように衣服の下に装着することで、オペロンゴムからなる１対の引張り部分１８Ａ，１８Ｂ及びその先端７０Ａ，７０Ｂによって両足ＲＬ，ＬＬの付け根近傍が引張り力で内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。また、上下２対のレッグループ６７Ａ，６７Ｂ，６９Ａ，６９Ｂを接続部材６８Ａ，６８Ｂでつないだことにより、足の付け根近傍における装着感がより強まって心地良いフィット感が得られる。そして、引張り部分１８Ａ，１８Ｂが上方のレッグループ６７Ａ，６７Ｂの直ぐ上で交差することによって、一歩々々歩くたびに骨盤を内側にねじる力が強力に作用して自然に“ビーナスウォーク”をさせる。
【０２２３】
また、図１５（ｂ），（ｃ）に示されるように骨盤矯正補助具６６を装着して歩くことによって、腰回りＷが腰背面部分１７でマッサージされ、下腹部分が１対の引張り部分１８Ａ，１８Ｂでマッサージされ、両足ＲＬ，ＬＬの太もも部分がレッグループ６７Ａ，６７Ｂ，６９Ａ，６９Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具６６は、骨盤の歪みを矯正する効果も、各部を引き締める効果も、また装着のし易さも一段と向上して、より優れた骨盤矯正補助具となる。
【０２２４】
さらに、図１５（ｄ），（ｅ）に示されるように、この骨盤矯正補助具６６を前後逆に装着することによっても、良い姿勢で真っ直ぐに歩くだけで自然に骨盤が内側へ回転して“ビーナスウォーク”をすることができるとともに、１対の引張り部分１８Ａ，１８ＢによってヒップＨが持ち上げられてヒップアップの効果も得られて、特に女性にとってはプロポーションを美しく見せることができ、進んで装着するようになる。
【０２２５】
実施の形態１５
次に、本発明の実施の形態１５について、図１６及び図１７を参照して説明する。図１６（ａ）は本発明の実施の形態１５にかかる骨盤矯正補助具の全体構造を示す斜視図、（ｂ）は本発明の実施の形態１５にかかる骨盤矯正補助具を装着した状態を示す正面図、（ｃ）は背面図である。図１７（ａ）は本発明の実施の形態１５の変形例にかかる骨盤矯正補助具の全体構造を示す斜視図、（ｂ）は本発明の実施の形態１５の変形例にかかる骨盤矯正補助具を装着した状態を示す背面図である。
【０２２６】
図１６（ａ）に示されるように、本実施の形態１５にかかる骨盤矯正補助具７１は、前中心で分離された腰ベルト部分７２と、腰ベルト部分７２と１対の接続部材７３Ａ，７３Ｂによってそれぞれ接続固定された左右１対のレッグループ７５Ａ，７５Ｂと、腰ベルト部分７２の左先端と左右１対のレッグループ７５Ａ，７５Ｂのうち右側のレッグループ７５Ａとを接続する２本の弾性材からなる一方の引張り部分７４Ａと、腰ベルト部分７２の右先端と左側のレッグループ７５Ｂとを接続する２本の弾性材からなる他方の引張り部分７４Ｂとを具備する。
【０２２７】
そして、前中心で分離された腰ベルト部分７２、１対の接続部材７３Ａ，７３Ｂ、１対の引張り部分７４Ａ，７４Ｂ、１対のレッグループ７５Ａ，７５Ｂと、骨盤矯正補助具７１の全ての部分が、１対の引張り部分７４Ａ，７４Ｂは各２本の幅約２ｃｍのオペロンゴムから、それ以外の部分は幅約６ｃｍのオペロンゴムから製造されている。即ち、本実施の形態１５にかかる骨盤矯正補助具７１は、請求項２５，請求項３１及び請求項３３の発明にかかる骨盤矯正補助具に対応するものである。
【０２２８】
これによって、本実施の形態１５にかかる骨盤矯正補助具７１はパンツ形状に構成されることになり、着脱が極めて容易であるとともに、腰前面で交差する１対の引張り部分７４Ａ，７４Ｂが一歩々々歩くたびに骨盤を内側に骨盤を内側に回転させて、自然に“ビーナスウォーク”をさせる。即ち、このような構成の骨盤矯正補助具７１を、図１６（ｂ），（ｃ）に示されるように衣服の下に装着することで、各２本のオペロンゴムからなる１対の引張り部分７４Ａ，７４Ｂによって両足ＲＬ，ＬＬの付け根近傍が引張り力で内側へ引張られるため、良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【０２２９】
また、図１６（ｂ），（ｃ）に示されるように骨盤矯正補助具７１を装着して歩くことによって、腰回りＷが腰ベルト部分７２でマッサージされ、下腹部分が１対の引張り部分７４Ａ，７４Ｂでマッサージされ、両足ＲＬ，ＬＬの太もも部分がレッグループ７５Ａ，７５Ｂでマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具７１は、骨盤の歪みを矯正する効果も、各部を引き締める効果も、また装着のし易さも一段と向上して、より優れた骨盤矯正補助具となる。
【０２３０】
さらに、この骨盤矯正補助具７１を前後逆に装着することによっても、良い姿勢で真っ直ぐに歩くだけで自然に骨盤が内側へ回転して“ビーナスウォーク”をすることができるとともに、１対の引張り部分７４Ａ，７４ＢによってヒップＨが持ち上げられてヒップアップの効果も得られて、特に女性にとってはプロポーションを美しく見せることができ、進んで装着するようになる。
【０２３１】
次に、本実施の形態１５の変形例にかかる骨盤矯正補助具７６について、図１７を参照して説明する。図１７（ａ）に示されるように、本変形例にかかる骨盤矯正補助具７６の基本構造は、図１６（ａ）に示される本実施の形態１５にかかる骨盤矯正補助具７１と同様である。異なるのは、腰ベルト部分７２の背面部下方と１対の接続部材７３Ａ，７３Ｂの背面間と１対のレッグループ７５Ａ，７５Ｂ上方との間に生ずる空間にパワーネット７７を張り巡らせた点である。即ち、本実施の形態１５の変形例にかかる骨盤矯正補助具７６は、請求項２５乃至請求項２７，請求項３１及び請求項３３の発明にかかる骨盤矯正補助具に対応するものである。なお、空間に張り巡らせるのはパワーネット７７に限られず、その他の生地を張り巡らせても良い。
【０２３２】
これによって、パンツ形状の骨盤矯正補助具７６の着脱がさらに容易になるとともに、腰前面で交差する１対の引張り部分７４Ａ，７４Ｂが一歩々々歩くたびに骨盤を内側に骨盤を内側に回転させて、自然に“ビーナスウォーク”をさせる。そして、背面にパワーネット７７を張り巡らせたことによって、装着することによるヒップアップの効果も得られ、特に女性にとってはプロポーションを美しく見せることができる。即ち、このような構成の骨盤矯正補助具７６を図１７（ｂ）に示されるように衣服の下に装着することで、各２本のオペロンゴムからなる１対の引張り部分７４Ａ，７４Ｂによって両足ＲＬ，ＬＬの付け根近傍が引張り力で内側へ引張られるため、良い姿勢で真っ直ぐに歩くだけで自然に骨盤が内側へ回転して“ビーナスウォーク”をすることができ、これを何日も続けることによって骨盤の歪みが矯正され、骨盤の歪みに起因する種々の不快な症状も改善される。
【０２３３】
また、図１７（ｂ）に示されるように骨盤矯正補助具７６を装着して歩くことによって、腰回りＷが腰ベルト部分７２で、下腹部分が１対の引張り部分７４Ａ，７４Ｂで、両足ＲＬ，ＬＬの太もも部分がレッグループ７５Ａ，７５Ｂで、それぞれマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴム及びパワーネットで作製した骨盤矯正補助具７６は、骨盤の歪みを矯正する効果も、各部を引き締める効果も、また装着のし易さも一段と向上して、より優れた骨盤矯正補助具となる。
【０２３４】
実施の形態１６
次に、本発明の実施の形態１６について、図１８を参照して説明する。図１８は本発明の実施の形態１６にかかる骨盤矯正補助具の部分構造を示す斜視図である。
【０２３５】
図１８に示されるように、本実施の形態１６にかかる骨盤矯正補助具の腰ベルト部分２の腰背面あるいは腰背面部分１７は弾性材としての幅約６ｃｍのオペロンゴムからなり、その内側に幅約４ｃｍのオペロンゴムからなる弾性材７８が、両端７８Ａ，７８Ｂを縫付けられて固定されている。即ち、本実施の形態１６にかかる骨盤矯正補助具は請求項３２の発明にかかる骨盤矯正補助具に対応するものである。
【０２３６】
これによって、かかる骨盤矯正補助具を装着すると腰ベルト部分２または腰背面部分１７が前方に伸びることによって、背面部分の内側に取付けられた弾性材７８が腰や大転子周辺を押すことになり、立ったとき、座ったとき、歩くときの姿勢が良くなり、骨盤の歪みがより正常に戻り易くなる。また、歩くときに腰を一歩ごとに押すので、腰周辺の筋肉が柔らかくなり血流が良くなるというマッサージ効果も得られる。かかる構造は、上記各実施の形態１乃至実施の形態１０，実施の形態１４，実施の形態１５に適用することができ、骨盤矯正の効果をより向上させることができる。
【０２３７】
実施の形態１７
次に、本発明の実施の形態１７について、図１９を参照して説明する。図１９（ａ）は本発明の実施の形態１７にかかる骨盤矯正補助具を装着した状態を示す正面図、（ｂ）は本発明の実施の形態１７の第１変形例にかかる骨盤矯正補助具を装着した状態を示す正面図、（ｃ）は本発明の実施の形態１７の第２変形例にかかる骨盤矯正補助具を装着した状態を示す正面図である。
【０２３８】
図１９（ａ）に示されるように、本実施の形態１７にかかる骨盤矯正補助具７９は、衣服の下の腰回りＷに装着する腰ベルト部分２と、腰ベルト部分２の前中心近傍にそれぞれ上端を縫付け固定されて腰回りＷの前方で互いに交差しない方向に斜め外側下方に伸びた１対の引張り部分８０Ａ，８０Ｂと、１対の引張り部分８０Ａ，８０Ｂの先端にそれぞれ縫付け固定された左右の足をそれぞれ通して足の付け根近傍に装着する１対のレッグループ４３Ａ，４３Ｂとを具備している。そして、腰ベルト部分２、１対の引張り部分８０Ａ，８０Ｂ、１対のレッグループ４３Ａ，４３Ｂと、骨盤矯正補助具７９の全ての部分が幅約６ｃｍのオペロンゴムで製造されている。
【０２３９】
即ち、本実施の形態１７にかかる骨盤矯正補助具７９は、請求項２８，請求項３１及び請求項３３の発明にかかる骨盤矯正補助具に対応するものである。このように骨盤矯正補助具７９は、上述した各実施の形態にかかる骨盤矯正補助具と異なり、１対の引張り部分８０Ａ，８０Ｂが交差せずに互いに離れて斜め外側下方に伸びている。このような構成によっても、装着して歩くだけで骨盤が内側に回転させられて、自然に“ビーナスウォーク”をすることができる。また、構造が簡単であるため製造が容易で低コスト化することができる。
【０２４０】
また、図１９（ａ）に示されるように骨盤矯正補助具７９を装着して歩くことによって、腰回りＷが腰ベルト部分２で、下腹部分が１対の引張り部分８０Ａ，８０Ｂで、両足ＲＬ，ＬＬの太もも部分がレッグループ４３Ａ，４３Ｂで、それぞれマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、全体をオペロンゴムで作製した骨盤矯正補助具７９は、骨盤の歪みを矯正する効果も、各部を引き締める効果も、また装着のし易さも一段と向上して、より優れた骨盤矯正補助具となる。
【０２４１】
次に、図１９（ｂ）を参照して、本実施の形態１７の第１の変形例にかかる骨盤矯正補助具８１について説明する。骨盤矯正補助具８１の構造は、基本的には本実施の形態１７にかかる骨盤矯正補助具７９に類似している。異なるのは、腰ベルト部分８２が前中心で分離して、調節機能付き接続具８３で接続されていることである。そして、腰ベルト部分８２、１対の引張り部分８０Ａ，８０Ｂ、１対のレッグループ４３Ａ，４３Ｂと、調節機能付き接続具８３以外の骨盤矯正補助具７９の全ての部分が幅約６ｃｍのオペロンゴムで製造されている。
【０２４２】
即ち、本実施の形態１７の第１変形例にかかる骨盤矯正補助具８１は、請求項２８，請求項２９，請求項３１及び請求項３３の発明にかかる骨盤矯正補助具に対応するものである。ここで、調節機構付き接続具８３としては複数の接続位置に取付けられたメンカンを有するカギホックを用いているが、これ以外にも、接着布、複数の接続位置に取付けられた凹側または凸側を有するドット釦、フックアイテープ、グリッパーテープ、ファッションミニバックル、スナップテープ、等を用いることができる。
【０２４３】
調節機能付き接続具８３によって腰ベルト部分８２の長さを調節することができ、腰回りＷの心地良いフィット感が得られる。さらに、腰ベルト部分８２が前中心において分離可能であるため、左右の引張り部分８０Ａ，８０Ｂも分離されて長さが調節されるので、最適な引張り力で足の付け根近傍を引張ることができる。これによって、より効果的な“ビーナスウォーク”をすることができるとともに、着け心地が一層良くなって着けるだけで何となく体が楽になるため、装着を習慣付けて骨盤矯正の効果を上げることができる。
【０２４４】
また、図１９（ｂ）に示されるように骨盤矯正補助具８１を装着して歩くことによって、腰回りＷが腰ベルト部分８２で、下腹部分が１対の引張り部分８０Ａ，８０Ｂで、両足ＲＬ，ＬＬの太もも部分がレッグループ４３Ａ，４３Ｂで、それぞれマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、調節機構付き接続具８３以外の全体をオペロンゴムで作製した骨盤矯正補助具８１は、骨盤の歪みを矯正する効果も、各部を引き締める効果も、また装着のし易さも一段と向上して、より優れた骨盤矯正補助具となる。
【０２４５】
次に、図１９（ｃ）を参照して、本実施の形態１７の第２の変形例にかかる骨盤矯正補助具８５について説明する。骨盤矯正補助具８５は、装着した状態においては本実施の形態１７にかかる骨盤矯正補助具７９に類似している。異なるのは、１対の引張り部分を設けるのではなく、１本の引張り部材８８の両端がレッグループ４３Ａ，４３Ｂに縫付け固定され、腰ベルト部分８６の前中心と１本の引張り部材８８の中央とに、互いに接続可能な１組の調節機能付き接続具８７が固定されて、この調節機能付き接続具８７で腰ベルト部分８６の前中心と引張り部材８８の中央とが接続されることである。
【０２４６】
そして、腰ベルト部分８６、１本の引張り部材８８、１対のレッグループ４３Ａ，４３Ｂと、調節機能付き接続具８７以外の骨盤矯正補助具８５の全ての部分が幅約６ｃｍのオペロンゴムで製造されている。即ち、本実施の形態１７の第２変形例にかかる骨盤矯正補助具８５は、請求項３０，請求項３１及び請求項３３の発明にかかる骨盤矯正補助具に対応するものである。
【０２４７】
ここで、１組の調節機構付き接続具８７としては、縦方向に複数の接続位置に取付けられたメンカン８７ａとホック８７ｂを有するカギホック８７を用いているが、これ以外にも、接着布、縦方向に複数の接続位置に取付けられた凹側または凸側を有するドット釦、フックアイテープ、グリッパーテープ、ファッションミニバックル、スナップテープ、等を用いることができる。
【０２４８】
調節機能付き接続具８７によって１本の引張り部材８８による引張り力を調節することができ、腰回りＷの心地良いフィット感が得られるとともに、最適な引張り力で足の付け根近傍を引張ることができる。これによって、より効果的な“ビーナスウォーク”をすることができるとともに、着け心地が一層良くなって着けるだけで何となく体が楽になるため、装着を習慣付けて骨盤矯正の効果を上げることができる。
【０２４９】
また、図１９（ｃ）に示されるように骨盤矯正補助具８５を装着して歩くことによって、腰回りＷが腰ベルト部分８６で、下腹部分が１本の引張り部材８８で、両足ＲＬ，ＬＬの太もも部分がレッグループ４３Ａ，４３Ｂで、それぞれマッサージされて、各部分のぜい肉が落ちて引き締められるという効果も得られる。そして、オペロンゴムは、優れたストレッチ性、抜群のフィット性を持った弾性材であり、家庭における洗濯による型崩れやドライクリーニングによる老化の心配もない。特に、調節機構付き接続具８７以外の全体をオペロンゴムで作製した骨盤矯正補助具８５は、骨盤の歪みを矯正する効果も、各部を引き締める効果も、また装着のし易さも一段と向上して、より優れた骨盤矯正補助具となる。
【０２５０】
上記各実施の形態においては、本発明にかかる骨盤矯正補助具の調節機能付き接続具以外の部分を全てオペロンゴムで作製した場合について説明したが、オペロンゴム以外の適当な弾性材を使用して作製しても良いし、最低限必要な部分即ち引張り部分・引張り部材のみをオペロンゴム等の弾性材で作製し、他の部分は生地・布地等を用いて作製しても良い。オペロンゴムの幅も約６ｃｍ及び約２ｃｍに限られず、装着者の体格・体力・年齢等に合わせて最も適した寸法とすれば良い。
【０２５１】
また、上記各実施の形態においては、固定方法として全て縫付け固定した場合について説明しているが、接着等のその他の固定方法で固定することもできる。
【０２５２】
骨盤矯正補助具のその他の部分の構造、形状、数量、材質、大きさ（幅・長さ・厚さ等）、接続関係等についても、上記各実施の形態に限定されるものではない。
【図面の簡単な説明】
【０２５３】
【図１】図１（ａ）は本発明の実施の形態１にかかる骨盤矯正補助具の全体構造を示す正面図、（ｂ）は本発明の実施の形態１にかかる骨盤矯正補助具を装着した状態を示す正面図、（ｃ）は背面図、（ｄ）は本発明の実施の形態１にかかる骨盤矯正補助具を前後逆に装着した状態を示す正面図、（ｅ）は背面図である。
【図２】図２（ａ）は本発明の実施の形態２にかかる骨盤矯正補助具の全体構造を示す正面図、（ｂ）は本発明の実施の形態２にかかる骨盤矯正補助具を装着した状態を示す正面図、（ｃ）は背面図、（ｄ）は本発明の実施の形態２にかかる骨盤矯正補助具を前後逆に装着した状態を示す正面図、（ｅ）は背面図である。
【図３】図３（ａ）は本発明の実施の形態３にかかる骨盤矯正補助具の全体構造を示す正面図、（ｂ）は本発明の実施の形態３にかかる骨盤矯正補助具を装着した状態を示す正面図、（ｃ）は背面図、（ｄ）は本発明の実施の形態３にかかる骨盤矯正補助具を前後逆に装着した状態を示す正面図、（ｅ）は背面図である。
【図４】図４（ａ）は本発明の実施の形態４にかかる骨盤矯正補助具の全体構造を示す正面図、（ｂ）は本発明の実施の形態４にかかる骨盤矯正補助具を装着した状態を示す正面図、（ｃ）は背面図、（ｄ）は本発明の実施の形態４にかかる骨盤矯正補助具を前後逆に装着した状態を示す正面図、（ｅ）は背面図である。
【図５】図５は、骨盤とその周辺の骨を正面から見て示す概略図である。
【図６】図６（ａ）は本発明の実施の形態５にかかる骨盤矯正補助具の全体構造を示す正面図、（ｂ）は本発明の実施の形態５にかかる骨盤矯正補助具を装着した状態を示す正面図、（ｃ）は背面図である。
【図７】図７（ａ）は本発明の実施の形態６にかかる骨盤矯正補助具の全体構造を示す正面図、（ｂ）は本発明の実施の形態６にかかる骨盤矯正補助具を装着した状態を示す正面図、（ｃ）は背面図である。
【図８】図８（ａ）は本発明の実施の形態７にかかる骨盤矯正補助具の全体構造を示す正面図、（ｂ）は本発明の実施の形態７にかかる骨盤矯正補助具を装着した状態を示す正面図、（ｃ）は背面図、（ｄ）は本発明の実施の形態７にかかる骨盤矯正補助具を前後逆に装着した状態を示す正面図、（ｅ）は背面図である。
【図９】図９（ａ）は本発明の実施の形態８にかかる骨盤矯正補助具の全体構造を示す正面図、（ｂ）は本発明の実施の形態８にかかる骨盤矯正補助具を装着した状態を示す正面図、（ｃ）は背面図、（ｄ）は本発明の実施の形態８にかかる骨盤矯正補助具を前後逆に装着した状態を示す正面図、（ｅ）は背面図である。
【図１０】図１０（ａ）は本発明の実施の形態９にかかる骨盤矯正補助具の全体構造を示す斜視図、（ｂ）は本発明の実施の形態９にかかる骨盤矯正補助具を装着した状態を示す正面図、（ｃ）は背面図である。
【図１１】図１１（ａ）は本発明の実施の形態１０にかかる骨盤矯正補助具の全体構造を示す斜視図、（ｂ）は本発明の実施の形態１０にかかる骨盤矯正補助具を装着した状態を示す正面図、（ｃ）は背面図である。
【図１２】図１２（ａ）は本発明の実施の形態１１にかかる骨盤矯正補助具の全体構造を示す正面図、（ｂ）は背面図、（ｃ）は本発明の実施の形態１１にかかる骨盤矯正補助具を装着した状態を示す正面図、（ｄ）は背面図である。
【図１３】図１３（ａ）は本発明の実施の形態１２にかかる骨盤矯正補助具の全体構造を示す斜視図、（ｂ）は本発明の実施の形態１２にかかる骨盤矯正補助具を装着した状態を示す正面図、（ｃ）は背面図である。
【図１４】図１４（ａ）は本発明の実施の形態１３にかかる骨盤矯正補助具を装着した状態を示す正面図、（ｂ）は背面図、（ｃ）は本発明の実施の形態１３にかかる骨盤矯正補助具を前後逆に装着した状態を示す正面図、（ｄ）は背面図である。
【図１５】図１５（ａ）は本発明の実施の形態１４にかかる骨盤矯正補助具の全体構造を示す斜視図、（ｂ）は本発明の実施の形態１４にかかる骨盤矯正補助具を装着した状態を示す正面図、（ｃ）は背面図、（ｄ）は本発明の実施の形態１４にかかる骨盤矯正補助具を前後逆に装着した状態を示す正面図、（ｅ）は背面図である。
【図１６】図１６（ａ）は本発明の実施の形態１５にかかる骨盤矯正補助具の全体構造を示す斜視図、（ｂ）は本発明の実施の形態１５にかかる骨盤矯正補助具を装着した状態を示す正面図、（ｃ）は背面図である。
【図１７】図１７（ａ）は本発明の実施の形態１５の変形例にかかる骨盤矯正補助具の全体構造を示す斜視図、（ｂ）は本発明の実施の形態１５の変形例にかかる骨盤矯正補助具を装着した状態を示す背面図である。
【図１８】図１８は本発明の実施の形態１６にかかる骨盤矯正補助具の部分構造を示す斜視図である。
【図１９】図１９（ａ）は本発明の実施の形態１７にかかる骨盤矯正補助具を装着した状態を示す正面図、（ｂ）は本発明の実施の形態１７の第１変形例にかかる骨盤矯正補助具を装着した状態を示す正面図、（ｃ）は本発明の実施の形態１７の第２変形例にかかる骨盤矯正補助具を装着した状態を示す正面図である。
【符号の説明】
【０２５４】
１，６，１１，１６，３１，４１，４２，４５，４７，４８，５１，５６，６１，６６，７１，７６，７９，８１，８５  骨盤矯正補助具
２，１２，７２，８２，８６  腰ベルト部分
２ａ  前中心
３Ａ，３Ｂ，１４Ａ，１４Ｂ，１８Ａ，１８Ｂ，３３Ａ，３３Ｂ，４６Ａ，４６Ｂ，４６Ｃ，４６Ｄ，７４Ａ，７４Ｂ，８０Ａ，８０Ｂ  引張り部分
４Ａ，４Ｂ，７Ａ，７Ｂ，１９Ａ，１９Ｂ，３４Ａ，３４Ｂ  環状部分
８Ａ，８Ｂ，２０Ａ，２０Ｂ，３６，３６Ａ，３６Ｂ，５４  ループ
１３Ａ，１３Ｂ，５５Ａ，５５Ｂ，５８Ａ，５８Ｂ，６３，８３，８７  調節機能付き接続具
１７，６２  腰背面部分
２１  骨盤
３０ａ  大転子
３２Ａ，３２Ｂ，４９Ａ，４９Ｂ，４９Ｃ，４９Ｄ  腰スライド部材
３５Ａ，３５Ｂ  足スライド部材
３７Ａ，３７Ｂ  滑り止め
３８Ａ，３８Ｂ  バックル
３９Ａ，３９Ｂ，７０Ａ，７０Ｂ  引張り部分の先端
４３Ａ，４３Ｂ，５３Ａ，５３Ｂ，６７Ａ，６７Ｂ，６９Ａ，６９Ｂ，７５Ａ，７５Ｂ  レッグループ
５２Ａ，５２Ｂ，８８  引張り部材
５７Ａ，５７Ｂ  補助部材
６８Ａ，６８Ｂ，７３Ａ，７３Ｂ  接続部材
７７  生地（パワーネット）
７８  弾性材
Ｗ  腰回り
Ｈ  ヒップ
ＲＬ  右足
ＬＬ  左足
【図１】
2006149517.tif 000003
【図２】
2006149517.tif 000004
【図３】
2006149517.tif 000005
【図４】
2006149517.tif 000006
【図５】
2006149517.tif 000007
【図６】
2006149517.tif 000008
【図７】
2006149517.tif 000009
【図８】
2006149517.tif 000010
【図９】
2006149517.tif 000011
【図１０】
2006149517.tif 000012
【図１１】
2006149517.tif 000013
【図１２】
2006149517.tif 000014
【図１３】
2006149517.tif 000015
【図１４】
2006149517.tif 000016
【図１５】
2006149517.tif 000017
【図１６】
2006149517.tif 000018
【図１７】
2006149517.tif 000019
【図１８】
2006149517.tif 000020
【図１９】
2006149517.tif 000021